(57)【要約】半持続的に割り当てられたアップリンクリソースを有するワイヤレス端末のための有音状態と無音状態との間の移行をシグナリングするためのシステムおよび方法が採用される。状態移行の第１／２層の指標は、その目的で特異的に割り当てられるリソースを使用して伝送されてもよい。代替として、ＡＣＫ／ＮＡＣＫシグナリングが採用されてもよい。第１層の指標は、両方の状態移行タイプに採用されてもよい。代替として、有音状態から無音への状態移行をシグナリングするように、帯域内ＭＡＣ層のシグナリングが使用されてもよく、または、ネットワークが、この状態移行を独自で推定してもよい。有音状態と無音状態とでは、異なるアップリンクワイヤレス移行リソースが割り当てられる。
2010525688.tif 000002
【特許請求の範囲】
【請求項１】
ワイヤレス端末に半持続的に割り当てられる第１のアップリンクワイヤレス伝送リソース上でワイヤレス端末から伝送を受信して、その結果、該第１のアップリンクワイヤレス伝送リソースは、該ワイヤレス端末が活動状態にある期間に該ワイヤレス端末に割り当てられることと、
該ワイヤレス端末が該活動状態から非活動状態に移行した時を決定することと、
該ワイヤレス端末から第１層の指標を受信することにより、該ワイヤレス端末が非活動状態から活動状態に移行した時を決定することと、
該ワイヤレス端末が該非活動状態にある間に、該第１のアップリンクワイヤレス伝送リソースを他の目的で再割り当てするために利用可能にすることと
を含み、第１層の指標を受信することは、状態移行情報を有する、応答／否定応答「ＡＣＫ／ＮＡＣＫ」シグナリングを受信することと、
を含む、方法。
【請求項２】
前記活動状態は、ボイスオーバーインターネットプロトコル「ＶｏＩＰ」セッションの有音状態であり、前記非活動状態は、該ＶｏＩＰセッションの無音状態である、請求項１に記載の方法。
【請求項３】
セッション開始時に前記第１のアップリンクワイヤレス伝送リソースの前記半持続的割り当てをシグナリングすることをさらに含む、請求項１または２に記載の方法。
【請求項４】
前記ワイヤレス端末が活動状態から非活動状態に移行したことを示す、該ワイヤレス端末からのシグナリングを受信することにより、該ワイヤレス端末が活動状態から非活動状態に移行した時を決定することをさらに含む、請求項１〜３のうちのいずれか１項に記載の方法。
【請求項５】
前記ワイヤレス端末が活動状態から非活動状態に移行したことを示す、第１層の指標を受信することにより、該ワイヤレス端末が活動状態から非活動状態に移行したことを示す、該ワイヤレス端末からのシグナリングを受信することを含む、請求項４に記載の方法。
【請求項６】
前記ワイヤレス端末が活動状態から非活動状態に移行したことを示す、該ワイヤレス端末からの第１層の指標を受信することは、
状態移行情報を有する前記ＡＣＫ／ＮＡＣＫシグナリング、状態移行情報を有するＣＱＩシグナリング、またはその目的で具体的に割り当てられたアップリンク伝送リソースに関するインジケータのうちのいずれかを受信することを含む、請求項５に記載の方法。
【請求項７】
ワイヤレス端末に半持続的に割り当てられる第１のアップリンクワイヤレス伝送リソース上でワイヤレス端末から伝送を受信することであって、その結果、該第１のアップリンクワイヤレス伝送リソースは、該ワイヤレス端末が活動状態にある期間に該ワイヤレス端末に割り当てられる、ことと、
該ワイヤレス端末が該活動状態から非活動状態に移行した時を決定することと、
該ワイヤレス端末から第１層の指標を受信することにより、該ワイヤレス端末が非活動状態から活動状態に移行した時を決定することと、
該ワイヤレス端末が該非活動状態にある間に、該第１のアップリンクワイヤレス伝送リソースを他の目的で再割り当てするために利用可能にすることと、
活動状態の終了時に該ワイヤレス端末から媒体アクセス制御「ＭＡＣ」層シグナリングを受信することにより、該ワイヤレス端末が活動状態から非活動状態に移行したことを示す、該ワイヤレス端末からのシグナリングを受信することにより、該ワイヤレス端末が活動状態から非活動状態に移行した時を決定することと
を含む、方法。
【請求項８】
ワイヤレス端末に半持続的に割り当てられる第１のアップリンクワイヤレス伝送リソース上でワイヤレス端末から伝送を受信することであって、その結果、該第１のアップリンクワイヤレス伝送リソースは、該ワイヤレス端末が活動状態にある期間に該ワイヤレス端末に割り当てられる、ことと、
該ワイヤレス端末が該活動状態から非活動状態に移行した時を決定することと、
該ワイヤレス端末から第１層の指標を受信することにより、該ワイヤレス端末が非活動状態から活動状態に移行した時を決定することと、
該ワイヤレス端末が該非活動状態にある間に、該第１のアップリンクワイヤレス伝送リソースを他の目的で再割り当てするために利用可能にすることと、
該ワイヤレス端末から非活動期間について監視することにより、該ワイヤレス端末が活動状態から非活動状態に移行したことを決定することと
を含む、方法。
【請求項９】
ワイヤレス端末に半持続的に割り当てられる第１のアップリンクワイヤレス伝送リソース上でワイヤレス端末から伝送を受信することであって、その結果、該第１のアップリンクワイヤレス伝送リソースは、該ワイヤレス端末が活動状態にある期間に該ワイヤレス端末に割り当てられる、ことと、
該ワイヤレス端末が該活動状態から非活動状態に移行した時を決定することと、
該ワイヤレス端末からの第１層の指標を受信することにより、該ワイヤレス端末が非活動状態から活動状態に移行した時を決定することと、
該ワイヤレス端末が該非活動状態にある間に、該第１のアップリンクワイヤレス伝送リソースを他の目的で再割り当てするために利用可能にすることと、
アプリケーション層から無音期間の開始に関する指標を受信することにより、該ワイヤレス端末が活動状態から非活動状態に移行した時を決定することと
を含む、方法。
【請求項１０】
第１層のシグナリングを伝送する際に、前記ワイヤレス端末による使用のために第１層リソースを割り当てることをさらに含む、請求項１〜９のうちのいずれか１項に記載の方法。
【請求項１１】
第１層のシグナリングを伝送する際に、前記ワイヤレス端末による使用のために第１層リソースを割り当てることは、
該ワイヤレス端末が前記活動状態にある間、該ワイヤレス端末のために該リソースを保存することと、
該活動状態中に、他の目的のために該第１層リソースを利用可能にすることと
を含む、請求項１０に記載の方法。
【請求項１２】
第２のアップリンクワイヤレス伝送リソースを前記ワイヤレス端末に半持続的に割り当てることであって、その結果、該第２のアップリンクワイヤレス伝送リソースは、無音記述子「ＳＩＤ」フレームを伝送する目的のために該ワイヤレス端末が前記非活動状態にある期間に該ワイヤレス端末に割り当てられる、ことをさらに含み、該第２のアップリンクワイヤレス伝送リソースは、前記第１のリソースよりも小さい容量を有する、請求項１〜１１のうちのいずれか１項に記載の方法。
【請求項１３】
ワイヤレス端末が、活動状態にある間に、該ワイヤレス端末に半持続的に割り当てられる第１のワイヤレス伝送リソースを使用してアップリンク通信を伝送することであって、すなわち、該第１のワイヤレス伝送リソースは、該活動状態にある間に該ワイヤレス端末に割り当てられる、ことと、
該活動状態にある間に伝送を完了した後、該ワイヤレス端末が、該活動状態から非活動状態に移行することと、
該非活動状態にある間に該活動状態で伝送を開始するために、該ワイヤレス端末は、該非活動状態から該活動状態に移行し、該非活動状態から該活動状態への該移行を示す第１層の指標を伝送することであって、該第１層の指標は、移行情報を有する応答／拒否応答「ＡＣＫ／ＮＡＣＫ」シグナリングを備えている、ことと
を含む、方法。
【請求項１４】
前記活動状態は、ボイスオーバーインターネットプロトコル「ＶｏＩＰ」セッションの有音状態であり、前記非活動状態は、該ＶｏＩＰセッションの無音状態である、請求項１３に記載の方法。
【請求項１５】
前記ワイヤレス端末が活動状態から非活動状態に移行した時を示すシグナリング情報を伝送することをさらに含む、請求項１３から１４のうちのいずれか１項に記載の方法。
【請求項１６】
前記ワイヤレス端末が活動状態から非活動状態に移行した時を示すシグナリング情報を伝送することは、該ワイヤレス端末が活動状態から非活動状態に移行した時を示す第１層の指標を伝送することを含む、請求項１５に記載の方法。
【請求項１７】
前記ワイヤレス端末が活動状態から非活動状態に移行したことを示す第１層の指標を伝送することは、
状態移行情報を有するＡＣＫ／ＮＡＣＫ信号、状態移行情報を有するＣＱＩシグナリング、または、その目的で具体的に割り当てられるアップリンク伝送リソースに関するインジケータを伝送することを含む、請求項１６に記載の方法。
【請求項１８】
ワイヤレス端末が、活動状態にある間、該ワイヤレス端末に半持続的に割り当てられる第１のワイヤレス伝送リソースを使用してアップリンク通信を伝送することであって、すなわち、該第１のワイヤレス伝送リソースは、該活動状態にある間に該ワイヤレス端末に割り当てられる、ことと、
該活動状態にある間に伝送を完了した後、該ワイヤレス端末が、該活動状態から非活動状態に移行することと、
該非活動状態にある間に、該活動状態において伝送を開始するために、該ワイヤレス端末は、該非活動状態から該活動状態に移行し、該非活動状態から該活動状態への該移行を示す第１層の指標を伝送することと、
活動状態の終了時に媒体アクセス制御「ＭＡＣ」層のシグナリング（８４、８６、１０４）を伝送することにより、該ワイヤレス端末が活動状態から非活動状態に移行したことを示すシグナリング情報を伝送することと
を含む、方法。
【請求項１９】
前記非活動状態にある間に、ＶｏＩＰ伝送のために、第２のアップリンクワイヤレス伝送リソースを使用して、半持続的にワイヤレス端末に無音記述子「ＳＩＤ」フレームを伝送することであって、その結果、該第２のアップリンクワイヤレス伝送リソースは、ＳＩＤフレームを伝送する目的で、該ワイヤレス端末が該非活動状態にある期間に該ワイヤレス端末に割り当てられる、ことをさらに含み、該第２のアップリンクワイヤレス伝送リソースは、前記第１のリソースよりも小さい容量を有する、請求項１３から１８のうちのいずれか１項に記載の方法。
【請求項２０】
アクセスネットワーク要素であって、該アクセスネットワーク要素は、ワイヤレス端末に半持続的に割り当てられる第１のアップリンクワイヤレス伝送リソース上でワイヤレス端末から伝送を受信し、その結果、該第１のアップリンクワイヤレス伝送リソースは、該ワイヤレス端末が活動状態にある期間に該ワイヤレス端末に割り当てられ、また、該ワイヤレス端末が該活動状態から非活動状態に移行した時を示す、該ワイヤレス端末からの第１層の指標を受信するようにも構成されている、アクセスネットワーク要素と、
該ワイヤレス端末が該活動状態から非活動状態に移行した時を決定することと、該ワイヤレス端末が該非活動状態から活動状態に移行した時を示す、該ワイヤレス端末から受信される該第１層の指標を処理することにより、該ワイヤレス端末が非活動状態から活動状態に移行した時を決定することとを行うように構成され、該ワイヤレス端末が該非活動状態にある間に、該第１のアップリンクワイヤレス伝送リソースを他の目的のために再割り当てするために利用可能にするように構成されている、第１層の状態フィードバック処理機能を伴うスケジューラと
を備えている、装置。
【請求項２１】
前記活動状態は、ボイスオーバーインターネットプロトコル「ＶｏＩＰ」セッションの有音状態を含み、前記非活動状態は、該ＶｏＩＰセッションの無音状態を含む、請求項２０に記載の装置。
【請求項２２】
前記スケジューラは、セッションの開始時に前記第１のアップリンクワイヤレス伝送リソースの前記半持続的割り当てを決定するように、そして、セッションの開始時に前記第１のアップリンクワイヤレス伝送リソースの該半持続的割り当てをシグナリングするように構成される、請求項２０または２１に記載の装置。
【請求項２３】
前記ワイヤレス端末が非活動状態から活動状態に移行したことを示すための該ワイヤレス端末からの前記第１層の指標は、
状態移行情報を有する応答／否定応答「ＡＣＫ／ＮＡＣＫ」シグナリング、状態移行情報を有するチャネル品質インジケータ「ＣＱＩ」シグナリング、またはその目的で具体的に割り当てられるアップリンク伝送リソースに関するインジケータのうちのいずれかを備えている、請求項２０から２２のうちのいずれか１項に記載の装置。
【請求項２４】
前記アクセスネットワーク要素は、前記ワイヤレス端末が活動状態から非活動状態に移行したことを示す該ワイヤレス端末からのシグナリングを受信するようにさらに構成され、前記スケジューラは、該シグナリングに基づいて、前記ワイヤレス端末が活動状態から非活動状態に移行したことを決定するように構成されている、請求項２０から２３のうちのいずれか１項に記載の装置。
【請求項２５】
前記アクセスネットワーク要素は、前記ワイヤレス端末が活動状態から非活動状態に移行したことを示す第１層の指標を受信することにより、前記ワイヤレス端末が活動状態から非活動状態に移行したことを示す、前記ワイヤレス端末からのシグナリングを受信するように構成される、請求項２４に記載の装置。
【請求項２６】
前記アクセスネットワーク要素は、活動状態の終了時に前記ワイヤレス端末から媒体アクセス制御「ＭＡＣ」層のシグナリングを受信することにより、該ワイヤレス端末が活動状態から非活動状態に移行したことを示す、該ワイヤレス端末からのシグナリングを受信し、処理するように構成される、請求項２４に記載の装置。
【請求項２７】
前記装置は、前記ワイヤレス端末から非活動期間の間監視することにより、該ワイヤレス端末が活動状態から非活動状態に移行したことを決定するように構成される、請求項２４から２６のうちのいずれか１項に記載の装置。
【請求項２８】
前記装置は、アプリケーション層から無音期間の開始に関する指標を受信することにより、前記ワイヤレス端末が活動状態から非活動状態に移行したことを決定するように構成される、請求項２４から２７のうちのいずれか１項に記載の装置。
【請求項２９】
前記スケジューラは、前記第１層のシグナリングを伝送する際に、前記ワイヤレス端末による使用のために第１層のリソースを割り当てるように構成される、請求項２４から２８のうちのいずれか１項に記載の装置。
【請求項３０】
前記スケジューラは、前記ワイヤレス端末が前記活動状態にある間に該ワイヤレス端末のためにリソースを保存すること、および非活動状態中に他の目的のために前記第１層のリソースを利用可能にすることにより、該第１層のシグナリングを伝送する際に、該ワイヤレス端末による使用のために第１層のリソースを割り当てるように構成される、請求項２９に記載の装置。
【請求項３１】
前記スケジューラは、第２のアップリンクワイヤレス伝送リソースを、前記ワイヤレス端末に半持続的に割り当てるように構成され、その結果、該第２のアップリンクワイヤレス伝送リソースは、無音記述子「ＳＩＤ」フレームを伝送する目的で、該ワイヤレス端末が非活動状態にある期間に該ワイヤレス端末に割り当てられ、該第２のアップリンクワイヤレス伝送リソースは、前記第１のリソースよりも小さい容量を有する、請求項２４から３０のうちのいずれか１項に記載の装置。
【請求項３２】
ワイヤレス端末１０−１であって、
活動状態にある間に、該ワイヤレス端末に半持続的に割り当てられる第１のワイヤレス伝送リソースを使用してアップリンク通信を伝送するように構成される、ワイヤレスアクセス無線１６−１であって、すなわち、該第１のワイヤレス伝送リソースは、該活動状態にある間に該ワイヤレス端末に割り当てられ、該活動状態にある間に伝送を完了した後、該ワイヤレス端末は、該活動状態から非活動状態に移行するように構成される、ワイヤレスアクセス無線１６−１と、
該非活動状態にある間に該活動状態で伝送を開始するために、該ワイヤレスアクセス無線による伝送のために、該非活動状態から該活動状態へ移行することを示す第１層の指標を生成するように構成される、第１層の状態フィードバックジェネレータであって、該ワイヤレス端末が非活動状態から活動状態に移行したことを示す該第１層の指標は、状態移行情報を有する応答／否定応答「ＡＣＫ／ＮＡＣＫ」シグナリングを備える、第１層の状態フィードバックジェネレータと
を備える、ワイヤレス端末１０−１。
【請求項３３】
前記活動状態は、ボイスオーバーインターネットプロトコル「ＶｏＩＰ」セッションの有音状態を含み、前記非活動状態は、該ＶｏＩＰセッションの無音状態を含む、請求項３２に記載のワイヤレス端末。
【請求項３４】
前記ワイヤレス端末が活動状態から非活動状態に移行した時を示すシグナリング情報を伝送するように構成される、請求項３２から３３のうちのいずれか１項に記載のワイヤレス端末。
【請求項３５】
前記第１層の状態フィードバックジェネレータは、前記ワイヤレス端末が活動状態から非活動状態に移行したことを示すシグナリング情報を生成するように構成され、該シグナリング情報は、該ワイヤレス端末が活動状態から非活動状態に移行した時を示す、第１層の指標を備える、請求項３４に記載のワイヤレス端末。
【請求項３６】
前記ワイヤレス端末が活動状態から非活動状態に移行したことを示す前記第１層の指標は、状態移行情報を有するＡＣＫ／ＮＡＣＫシグナリング、状態移行情報を有するＣＱＩシグナリング、またはその目的で具体的に割り当てられるアップリンク伝送リソースに関するインジケータのうちのいずれかを含む、請求項３５に記載のワイヤレス端末。
【請求項３７】
ワイヤレス端末１０−１であって、
活動状態にある間、該ワイヤレス端末に半持続的に割り当てられる第１のワイヤレス伝送リソースを使用してアップリンク通信を伝送するように構成されるワイヤレスアクセス無線１６−１であって、すなわち、該第１のワイヤレス伝送リソースは、該活動状態にある間に該ワイヤレス端末に割り当てられ、該活動状態にある間に伝送を完了した後、該ワイヤレス端末は、該活動状態から非活動状態に移行するように構成される、ワイヤレスアクセス無線１６−１と、
該非活動状態にある間に該活動状態で伝送を開始するために、該ワイヤレスアクセス無線による伝送のために、該非活動状態から該活動状態へ移行したことを示す第１層の指標を生成するように構成される、第１層の状態フィードバックジェネレータと
を備え、該ワイヤレス端末は、活動状態の終了時に媒体アクセス制御「ＭＡＣ」層のシグナリングを伝送することにより、該ワイヤレス端末が活動状態から非活動状態に移行したことを示すシグナリング情報を伝送するようにさらに構成される、ワイヤレス端末１０−１。
【請求項３８】
前記非活動状態にある間に、ＶｏＩＰ伝送のために、第２のアップリンクワイヤレス伝送リソースを使用して、半持続的にワイヤレス端末に無音記述子「ＳＩＤ」フレームを伝送するように構成され、該第２のアップリンクワイヤレス伝送リソースは、ＳＩＤフレームを伝送する目的で、該ワイヤレス端末が該非活動状態にある期間に該ワイヤレス端末に割り当てられ、該第２のアップリンクワイヤレス伝送リソースは前記第１のリソースよりも小さい容量を有する、請求項３２から３７のうちのいずれか１項に記載のワイヤレス端末。
【請求項３９】
コンピュータデバイスのプロセッサにより実行可能なコンピュータ読み取り可能な命令を格納するコンピュータ読み取り可能媒体であって、該デバイスに請求項１から１２のうちのいずれか１つに記載の方法、または請求項１３から１９のうちのいずれか１つに記載の方法のステップを実装させる、コンピュータ読み取り可能媒体。
【発明の詳細な説明】
【技術分野】
【０００１】
（出願の分野）
本出願は、スケジューリングとリソース割り当てのためのシステムおよび方法に関する。
【背景技術】
【０００２】
（背景）
半持続的なスケジューリングは、３ＧＰＰロングタームエボリューションにおけるボイスオーバーＩＰに対して検討されてきた。半持続的なスケジューリングによって、初期のリソース割り当て後、同一リソースは指定のワイヤレス端末で継続的に使用される。いわゆる有音状態である有音期間と有音期間との間には、無音期間が存在する。半持続的なスケジューリングを使用しながら、音声有音と音声有音との間の無音期間をどのように効率的に処理するかについての関心が高まっている。持続的なスケジューリングでは、リソースはワイヤレス端末に予め割り当てられる。リソースが必要であるという想定が行われなければならないため、無音期間中、リソースがワイヤレス端末により使用されないという指標がシグナリングされないと、リソースは、別のワイヤレス端末による使用に再割り当てられるために利用可能にならない。強化が全くない非常に簡単な持続的なスケジューリングの場合、これは、相当のアップリンク容量が失われることを意味する。
【０００３】
半持続的なスケジューリングの場合、無音状態の期間中にリソースを解放するために、リソースは、活動期間（有音状態の期間）と無音状態の期間（無音状態期間）の間、およびこの逆の間に再構成される必要がある。無音期間中、無音記述子（ＳＩＤ）フレームは、例えば、アプリケーション層の制約を満たすように、伝送されてもよい。
【０００４】
状態移行は、有音状態から無音状態へと、無音状態から有音状態への２つの場合を含む。状態移行は、時間領域において非周期的であることに留意されたい。これらの移行を実装する１つの簡単な方式においては、ワイヤレス端末により無音状態期間が検出される時に必ず、ワイヤレス端末は、ランダムアクセスチャネル（ＲＡＣＨ）を介してリソース解放信号をネットワークに送信して予め割り当てられたリソースを解放し、有音が出現する時に必ず、ユーザは、有音状態の伝送のための半持続的なリソースを再確立するために、既存のＲＡＣＨリソース要求機構を介して明示的な要求を送信する。さらに、無音状態中のＳＩＤ伝送の場合、ここでも、既存のＲＡＣＨリソース要求機構を介して、リソースを求める明示的な要求が使用される。
【発明の概要】
【課題を解決するための手段】
【０００５】
（概要）
広範な側面として、ワイヤレス端末に半永続的に割り当てられた第１のアップリンクワイヤレス伝送リソース上でワイヤレス端末からの伝送を受信するステップであって、第１のアップリンクワイヤレス伝送リソースは、ワイヤレス端末が活動状態にある期間にワイヤレス端末に割り当てられるような、ステップと、ワイヤレス端末が活動状態から非活動状態に移行した時を決定するステップと、ワイヤレス端末から第１層の指標を受信することにより、ワイヤレス端末が非活動状態から活動状態に移行した時を決定するステップと、ワイヤレス端末が非活動状態にある間に、第１のアップリンクワイヤレス伝送リソースを他の目的で再割り当てするために利用可能にするステップと、を含み、第１層の指標を受信するステップは、状態移行情報を有する応答／否定応答「ＡＣＫ／ＮＡＣＫ」シグナリングを受信するステップと、を含む、方法を提供する。
【０００６】
別の広範な側面として、ワイヤレス端末に半永続的に割り当てられた第１のアップリンクワイヤレス伝送リソース上でワイヤレス端末からの伝送を受信するステップであって、第１のアップリンクワイヤレス伝送リソースは、ワイヤレス端末が活動状態にある期間にワイヤレス端末に割り当てられるような、ステップと、ワイヤレス端末が活動状態から非活動状態に移行した時を決定するステップと、ワイヤレス端末から第１層の指標を受信することにより、ワイヤレス端末が非活動状態から活動状態に移行した時を決定するステップと、ワイヤレス端末が非活動状態にある間に、第１のアップリンクワイヤレス伝送リソースを他の目的で再割り当てするために利用可能にするステップと、活動状態の終了時にワイヤレス端末から媒体アクセス制御「ＭＡＣ」層シグナリングを受信することにより、ワイヤレス端末が活動状態から非活動状態に移行したことを示すシグナリングをワイヤレス端末から受信することにより、ワイヤレス端末が活動状態から非活動状態に移行した時を決定するステップと、を含む、方法を提供する。
【０００７】
別の広範な側面として、ワイヤレス端末に半永続的に割り当てられた第１のアップリンクワイヤレス伝送リソース上でワイヤレス端末からの伝送を受信するステップであって、第１のアップリンクワイヤレス伝送リソースは、ワイヤレス端末が活動状態にある期間にワイヤレス端末に割り当てられるような、ステップと、ワイヤレス端末が活動状態から非活動状態に移行した時を決定するステップと、ワイヤレス端末から第１層の指標を受信することにより、ワイヤレス端末が非活動状態から活動状態に移行した時を決定するステップと、ワイヤレス端末が非活動状態にある間に、第１のアップリンクワイヤレス伝送リソースを他の目的で再割り当てするために利用可能にするステップと、ワイヤレス端末から非活動期間について監視することにより、ワイヤレス端末が活動状態から非活動状態に移行したことを決定するステップと、を含む、方法を提供する。
【０００８】
別の広範な側面として、ワイヤレス端末に半永続的に割り当てられた第１のアップリンクワイヤレス伝送リソース上でワイヤレス端末からの伝送を受信するステップであって、第１のアップリンクワイヤレス伝送リソースは、ワイヤレス端末が活動状態にある期間にワイヤレス端末に割り当てられるような、ステップと、ワイヤレス端末が活動状態から非活動状態に移行した時を決定するステップと、ワイヤレス端末から第１層の指標を受信することにより、ワイヤレス端末が非活動状態から活動状態に移行した時を決定するステップと、ワイヤレス端末が非活動状態にある間に、第１のアップリンクワイヤレス伝送リソースを他の目的で再割り当てするために利用可能にするステップと、アプリケーション層から無音期間の開始に関する指標を受信することにより、ワイヤレス端末が活動状態から非活動状態に移行した時を決定するステップと、を含む、方法を提供する。
【０００９】
別の広範な側面として、活動状態にある間、ワイヤレス端末に半持続的に割り当てられる第１のワイヤレス伝送リソースを使用してアップリンク通信を伝送するワイヤレス端末であって、すなわち、第１のワイヤレス伝送リソースは、前記活動状態にある間に前記ワイヤレス端末に割り当てられ、活動状態にある間に伝送を完了した後、ワイヤレス端末は、活動状態から非活動状態に移行し、非活動状態にある間に能動的に伝送を開始するために、ワイヤレス端末は、非活動状態から活動状態に移行し、非活動状態から活動状態への移行を示す第１層の指標を伝送し、第１層の指標は、移行情報を有する応答／拒否応答「ＡＣＫ／ＮＡＣＫ」シグナリングを含む、ワイヤレス端末を含む、方法を提供する。
【００１０】
別の広範な側面として、活動状態にある間、ワイヤレス端末に半持続的に割り当てられる第１のワイヤレス伝送リソースを使用してアップリンク通信を伝送するワイヤレス端末であって、すなわち、第１のワイヤレス伝送リソースは、前記活動状態にある間に前記ワイヤレス端末に割り当てられ、活動状態にある間に伝送を完了した後、ワイヤレス端末は、活動状態から非活動状態に移行し、非活動状態にある間に能動的に伝送を開始するために、ワイヤレス端末は、非活動状態から活動状態に移行して、非活動状態から活動状態への移行を示す第１層の指標を伝送し、活動状態の終了時に媒体アクセス制御「ＭＡＣ」層のシグナリング（８４、８６、１０４）を伝送することにより、前記ワイヤレス端末が活動状態から非活動状態に移行したことを示すシグナリング情報を伝送する、ワイヤレス端末を含む、方法を提供する。
【００１１】
別の広範な側面として、ワイヤレス端末に半持続的に割り当てられる第１のアップリンクワイヤレス伝送リソース上でワイヤレス端末から伝送を受信するように構成され、第１のアップリンクワイヤレス伝送リソースは、ワイヤレス端末が非活動状態にある期間にワイヤレス端末に割り当てられるような、アクセスネットワーク要素であって、また、ワイヤレス端末が活動状態から非活動状態に移行した時を示す、第１層の指標をワイヤレス端末から受信するようにも構成される、アクセスネットワーク要素と、ワイヤレス端末が活動状態から非活動状態に移行した時を決定し、ワイヤレス端末が前記非活動状態から活動状態に移行した時を示す、ワイヤレス端末から受信される第１層の指標を処理することにより、ワイヤレス端末が非活動状態から活動状態に移行した時を決定し、および、ワイヤレス端末が非活動状態にある間、第１のアップリンクワイヤレス伝送リソースを他の目的で再割り当てするために利用可能にするように構成される、第１層の状態フィードバック処理機能を伴うスケジューラと、を備える、装置を提供する。
【００１２】
別の広範な側面として、活動状態にある間、前記ワイヤレス端末に半持続的に割り当てられる第１のワイヤレス伝送リソースを使用してアップリンク通信を伝送するように構成されるワイヤレスアクセス無線１６−１であって、すなわち、第１のワイヤレス伝送リソースは、活動状態にある間にワイヤレス端末に割り当てられ、活動状態にある間に伝送を完了した後、ワイヤレス端末は、活動状態から非活動状態に移行するように構成される、ワイヤレスアクセス無線１６−１と、非活動状態にある間に能動的に伝送を開始するために、ワイヤレスアクセス無線による伝送のために、非活動状態から活動状態への移行を示す第１層の指標を生成するように構成される、第１層の状態フィードバックジェネレータであって、ワイヤレス端末が非活動状態から活動状態に移行したことを示す第１層の指標は、状態移行情報を有する応答／否定応答「ＡＣＫ／ＮＡＣＫ」シグナリングを備える、第１層の状態フィードバックジェネレータと、を備える、ワイヤレス端末１０−１を提供する。
【００１３】
別の広範な側面として、活動状態にある間、ワイヤレス端末に半持続的に割り当てられる第１のワイヤレス伝送リソースを使用してアップリンク通信を伝送するように構成されるワイヤレスアクセス無線１６−１であって、すなわち、第１のワイヤレス伝送リソースは、活動状態にある間にワイヤレス端末に割り当てられ、活動状態にある間に伝送を完了した後、ワイヤレス端末は、活動状態から非活動状態に移行するように構成される、ワイヤレスアクセス無線１６−１と、非活動状態にある間に能動的に伝送を開始するために、ワイヤレスアクセス無線による伝送のために、非活動状態から活動状態への移行を示す第１層の指標を生成するように構成される、第１層の状態フィードバックジェネレータであって、ワイヤレス端末は、活動状態の終了時に媒体アクセス制御「ＭＡＣ」層のシグナリングを伝送することにより、ワイヤレス端末が活動状態から非活動状態に移行したことを示すシグナリング情報を送信するようにさらに構成される、第１層の状態フィードバックジェネレータを備える、ワイヤレス端末１０−１を提供する。
【００１４】
実施形態は、以下の添付図面を参照して説明される。
【図面の簡単な説明】
【００１５】
【図１】図１は、第１層の状態フィードバックシグナリングを実装するネットワークの模式的略図である。
【図２】図２は、第１層の状態フィードバックシグナリングを実装するネットワークの別の模式的略図である。
【図３】図３は、第１層の状態フィードバックシグナリングを実装するネットワークの詳細ブロック図である。
【図４】図４は、ワイヤレス端末から基地局までのＶｏＩＰ伝送および状態移行を示す第１層のシグナリングを示すシグナリング略図である。
【図５】図５は、図４の実施例に対応する状態移行略図である。
【図６】図６は、ワイヤレス端末から基地局までのＶｏＩＰ伝送、および無音状態から有音状態への状態移行を示す第１層シグナリング、および有音状態から無音状態への状態移行の帯域内媒体アクセス制御（ＭＡＣ）層を示すシグナリング略図である。
【図７】図７は、図６の実施例に対応する状態移行略図である。
【図８】図８は、ワイヤレス端末から基地局までのＶｏＩＰ伝送および状態移行を示すＮＡＣＫ／ＡＣＫシグナリングの形式の第１層のシグナリングを示すシグナリング略図である。
【発明を実施するための形態】
【００１６】
（詳細な説明）
背景技術において、有音状態と無音状態との間の状態移行をシグナリングするためのＲＡＣＨベースの機構が参照される。音声状態移行は、ユーザにとっては頻繁に発生する場合があり、サポートされるかもしれないＶｏＩＰユーザの数が非常に大きいことを考慮すると、この手法により生じる諸経費は非常に大きくなる可能性がある。さらに、ＲＡＣＨは競合ベースのアクセス機構を採用するため、有音状態が出現する場合、特に高頻度の移行および多数のＶｏＩＰユーザを考慮すると、ＲＡＣＨの重負荷から、長いアクセス遅延を招く恐れがある。これは、音声の品質に悪影響をもたらす可能性がある。
【００１７】
ここで図１を参照すると、リソーススケジューリングおよび割り当て目的のために、第１層の高速状態フィードバックを採用する実施例の通信システム４０−１のブロック図が図示される。通信システム４０−１は、ワイヤレスネットワーク２０−１、ワイヤレス端末１０−１（ＵＥ（ユーザ要素）とも称される）、および他のワイヤレス端末を有する。通信システム４０−１は、他のコンポーネントを有することができるが、便宜上図示されない。例えば、ワイヤレス端末およびネットワークは、各々伝送器と受信器を有し、各々１つ以上のアンテナを有する。ワイヤレス端末１０−１は、ワイヤレスアクセス無線１６−１、プロセッサ１７−１、および第１層の状態フィードバックジェネレータ１５を有する。ワイヤレス端末１０−１は、他のコンポーネントを有することができるが、便宜上図示されない。他のワイヤレス端末３０−１は、各々ワイヤレス端末１０−１のコンポーネントに類似のコンポーネントを有することができる。代替として、他のワイヤレス端末３０−１のうちの一部または全部はワイヤレス端末１０−１のコンポーネントとは異なるコンポーネントを有することができる。ワイヤレスネットワーク２０−１は、第１層の状態フィードバック処理機能２４を含むスケジューラ２２を有する。
【００１８】
動作時、ワイヤレス端末１０−１は、そのワイヤレスアクセス無線１６−１を使用してワイヤレス端末２０−１と通信する。ワイヤレス通信は、ワイヤレス端末１０−１とワイヤレスネットワーク２０−１との間のワイヤレス接続１９−１である。他のワイヤレス端末３０−１も、それぞれのワイヤレス接続でワイヤレス端末ネットワーク２０−１と同様に通信する（図示せず）。ワイヤレスネットワーク２０−１との通信は、例えば、電話、または電子メール等の他の形態の通信の場合がある。第１層の状態フィードバックジェネレータ１５は、ワイヤレス端末が無音状態から有音状態に移行する時にネットワークに信号を送信する第１層のフィードバックを生成する。有音状態にある間、ワイヤレス端末は、第１の半持続的割り当てを使用して伝送する。いくつかの実施形態では、ワイヤレス端末１０−１は、有音状態から無音状態への移行が存在する時を示すシグナリングも生成する。これは、第１層の状態フィードバックジェネレータ１５を使用して実施されてもよいが、他の機構も考慮され、例えば、いくつかの実施形態では、ＭＡＣ層のシグナリングが採用される。さらに、いくつかの実施形態では、ネットワークは、ワイヤレス端末１０−１からのシグナリングが全くない場合もこの移行を自立的に検出する。いくつかの実施形態では、第１層のリソースは、状態移行シグナリングの目的のために特異的に割り当てられる。
【００１９】
ワイヤレスネットワーク２０−１において、スケジューラ２２は、アップリンクワイヤレス伝送リソースのスケジューリングおよび割り当てを分担する。これは、有音状態にある間にワイヤレス端末により使用されることが予定されるリソースを割り当てすることにより実行する。第１層の状態フィードバック処理機能２４は、ワイヤレス端末から受信される第１層のフィードバックを処理して、無音状態から有音状態への移行がある時を決定する。スケジューラ２２は、ワイヤレス端末が無音状態にある時も決定する。これは、第１層のフィードバック、帯域内のＭＡＣ層の指標の機能として実行、またはこれを自立的に決定できる。スケジューラ２２が、ワイヤレス端末は無音状態にあると結論する期間、ワイヤレス局に割り当てられたリソースは他の使用のために利用可能である。例えば、シグナリングまたはデータ通信のために、同一または異なるワイヤレス局に割り当てするように使用される場合がある。しかしながら、スケジューラ２２が、ワイヤレス端末が有音状態に戻ったと結論するとすぐに、リソースは再びワイヤレス端末に割り当てられる。リソースは、持続的に割り当て、すなわち、割り当てられるのは同一のリソースである。リソースの明細は、開始時を除き必要ではない。
【００２０】
図示した実施例においては、第１層の状態フィードバックジェネレータ１５は、ソフトウェアとして実装され、プロセッサ１７−１上で実行される。しかしながら、より一般的には、第１層の状態フィードバックジェネレータ１５は、ソフトウェア、ハードウェア、ファームウェア、またはこれらのいずれかの適切な組み合わせにしてもよい。同様に、スケジューラ２２は、ソフトウェア、ハードウェア、ファームウェア、またはこれらのいずれかの適切な組み合わせにしてもよい。
【００２１】
図２は、一部の実施形態に従うワイヤレス通信システム４００が実施される場合がある、例示的環境である。例示的なネットワーク要素の間の通信は、上記に要約した第１層の状態フィードバック機構を使用して実装され得る。例示的なワイヤレス通信システム４００は、複数のホストサービス（４０２、４０４および４０６の３つを図示）を含み、各々は、電子メール、カレンダ、インターネットウェブブラウザ、および他のアプリケーション等、しかしこれらに限定されない、加入者が利用可能な複数のサービスを有してもよい。この特定の実施例においては、ホストサービス４０２、４０４および４０６は、典型的には、サーバとして構成され、各々少なくとも１つのプロセッサ、格納手段を含み、各々ネットワークインターフェースを使用し、これを介して、インターネット等の通信ネットワーク４０８と通信が達成され得る。ホストサービス４０２、４０４および４０６は、通信ネットワーク４０８を介してルータシステム４１０とワイヤレスメッセージを送信および受信し、ホストサービス４０２、４０４および４０６とワイヤレスルータシステム４１０との通信を可能にする。
【００２２】
ワイヤレスルータシステム４１０は、複数のワイヤレスネットワーク（４１４、４１６、および４１８の３つを図示）に接続され、各々は、複数のワイヤレス端末（各ワイヤレスネットワークに１つを図示、４２０、４２２、および４２４）をサポートしてもよい。ワイヤレスネットワーク４１４、４１６、および４１８は、モバイル通信のグローバルシステム（ＧＳＭ）ネットワーク、または符号分割多重アクセス（ＣＤＭＡ）ネットワーク等の携帯電話網、双方向ページングネットワーク、Ｂｌｕｅｔｏｏｔｈ（登録商標）等の短距離ワイヤレスネットワーク、ＩＥＥＥ８０２．１１準拠ネットワーク等であってもよい。ワイヤレス端末４２０、４２２および４２４は、対応するワイヤレスネットワークと互換性のあるデバイスである。
【００２３】
ワイヤレス端末４２０、４２２、および４２４は、ルータ４１０および通信ネットワーク４０８を含む、トランシーバ局のネットワークを介して、他の端末またはホストサービス４０２、４０４、４０６等のコンピュータシステムとの通信機能を有する高度なデータ通信機能を備えた双方向通信デバイスである。モバイル通信デバイス４２０、４２２、および４２４は、音声通信を可能にする機能も有してもよい。提供される機能に応じて、データメッセージングデバイス、双方向ポケットベル、データメッセージング機能を備えた携帯電話、ワイヤレスインターネット機器、またはデータ通信デバイス（電話機能を備えた場合または備えていない場合）として称される場合がある。前述のリストは、包括することを意味するものではなく、本明細書において説明される実施形態は、上記にリストされている、されていないに関わらず、いかなる種類のワイヤレス端末を使用しても実施され得る。図１に図示した実施例においては、ワイヤレス端末４２０、４２２、および４２４は各々、プロセッサ、無線、情報格納手段およびタスクを実施するように適合された少なくとも１つのソフトウェアモジュールを含む。いくつかの実施形態では、ワイヤレス端末４２０、４２２、および４２４は、無線を使用してメッセージの送信および受信ができる。いくつかの実施形態では、少なくとも１つのソフトウェアモジュールは、イベントを生成するように適合された、イベント生成モジュール、およびワイヤレス端末の無線を使用してメッセージを送信および受信するように適合された、通信モジュールも含む。
【００２４】
ワイヤレス端末は、概して、複数の通信チャネルを介して通信できる。例えば、ショートメッセージサービス（ＳＭＳ）は、音声通信チャネルを介して受信するが、電子メールメッセージは、データ通信チャネルを介して受信する。上記のように、ワイヤレス端末４２０は、例えば、ワイヤレス端末４２０のプロセッサで実行されると種々のタスクを実行するように適合されたソフトウェアである、モジュールを含む。一実施形態では、ワイヤレス端末４２０は、通信モジュールとイベント生成モジュールの両方を含む。通信モジュールは、ワイヤレス端末４２０のプロセッサで実行するように適合され、ワイヤレス端末４２０の無線との連携で、メッセージを送信および受信できる。イベント生成モジュールも、ワイヤレス端末４２０のプロセッサで実行するように適合され、ユーザ生成イベントとデバイス生成イベントの２つの方式のうちの１つでイベントを生成できる。ユーザ生成イベントは、ワイヤレス端末４２０のユーザがワイヤレス端末４２０に存在する電子メールアプリケーション等のメッセージングアプリケーションを開く、ワイヤレス端末４２０のユーザがサムホイール等のホイール式入力デバイスを操作する、ワイヤレス端末４２０のユーザがワイヤレス端末４２０のキーボード上のキーを押す、ワイヤレス端末４２０のユーザがワイヤレス端末４２０にログインする、またはワイヤレス端末４２０のユーザがワイヤレス端末４２０からのプロンプトに応答することによって有効なセッションを維持する等を含む。デバイス生成イベントは、タイマの期限切れ、ワイヤレス端末４２０が、ＰＤＰコンテキスト等、ネットワークとのデータセッションを実行しているネットワークまたはワイヤレス端末４２０とのセッションを有効に維持するためにネットワーク接続確認メッセージを生成する等を含む。
【００２５】
ホストサービス４０２、４０４、および４０６の主要な目的のうちの１つは、メールサーバ（図示せず）やワイヤレス端末４２０、４２２、４２４等の他のソースから受信した情報を処理し、情報を適切な受信者、典型的には異なるホストサービス４０４、４０４、４０６、メールサーバまたはワイヤレス端末４２０、４２２、または４２４に送信することである。ホストサービス４０２、４０４、および４０６は、電子メールメッセージを送信および受信するように構成され、このように典型的には電子メールサーバと通信する。メールサーバは、例えば、Ｍｉｃｒｏｓｏｆｔ（登録商標）Ｅｘｃｈａｎｇｅ（登録商標）、Ｌｏｔｕｓ（登録商標）Ｄｏｍｉｎｏ（登録商標）サーバ、Ｎｏｖｅｌｌ（登録商標）ＧｒｏｕｐＷｉｓｅ（登録商標）サーバ、ＩＭＡＰサーバ、ＰＯＰサーバ、またはウェブメールサーバ、または当業者により理解される他のいずれかのメールサーバを含む可能性がある。ホストサービス４０２、４０４、および４０６も、メッセージの所望の送信および受信ならびに情報の適切な処理を達成するようにプロセッサで実行する、ソフトウェアモジュールを含む。いくつかの実施形態では、各ホストサービス４０２、４０４、４０６のソフトウェアモジュールはメッセージングモジュールで、メッセージングモジュールは、少なくとも１つの外部のメールサーバからメッセージを受信、ワイヤレス端末４２０、４２２、４２４にメッセージを送信、同一のワイヤレス端末からメッセージを受信、および少なくとも１つの外部のメールサーバにメッセージを送信するように適合される。少なくとも１つの外部のメールサーバは、例えば、少なくとも１つのモバイルデータサーバでもある可能性がある。ワイヤレスルータシステム４１０は、通信ネットワーク４０８を使用せず、ローカルサービス４１２等のホストサービスに直接接続されてもよい。別の実施形態では、ホストサービス４０２、４０４、および４０６は、ワイヤレス端末４２０、４２２、および４２４と直接通信することが可能である。本実施形態においては、ホストサービス４０２、４０４、および４０６は、ワイヤレスルータシステム４１０の支援を得ずに、ワイヤレス端末４２０、４２２、および４２４への通信に対応することができることが必要である。
【００２６】
図２に説明した環境においては、メッセージングは、ワイヤレス端末４２０、４２２、および４２４とホストサービス４０２、４０４、および４０６との間で発生する。ワイヤレス端末４２０、４２２、および４２４は、ホストサービス４０２、４０４、および４０６にメッセージを送信およびメッセージを受信することが可能である。実施例として、メッセージがホストサービス４０４、４０４、４０６のうちのいずれか１つにより受信されると、意図された受信者、ワイヤレス端末４２０、４２２、および４２４は、ホストサービス４０２、４０４、および４０６によりメッセージが到着したことが伝えられるが、これは有効メッセージを経由して検索されることが必要である。ホストサービス４０２、４０４、および４０６は、複数の有効メッセージをワイヤレス端末４２０、４２２、および４２４に送信してもよく、またはホストサービス４０４、４０４、および４０６は、ワイヤレス端末４２０、４２２、および４２４が保留中のメッセージをフェッチするまで、１つの有効メッセージを送信するように選択してもよい。フェッチコマンドは、有効メッセージが受信された後にイベントジェネレータによりイベントが生成されるとワイヤレス端末４２０、４２２、および４２４により発行され、ホストサービス４０２、４０４、および４０６に送信される。生成されたイベントと有効メッセージは独立しており、一方が他方の発生または発生の可能性に影響を与えることはない。ホストサービス４０４、４０４、および４０６がフェッチコマンドを受信すると、ホストサービス４０２、４０４、および４０６は、保留中のメッセージ（単数または複数）を、フェッチコマンドを発行したワイヤレス端末４２０、４２２、および４２４に送信する。有効メッセージとフェッチメッセージのどちらもメッセージ識別子を含む場合も含まない場合もある。メッセージ識別子は、ワイヤレス端末４２０、４２２、および４２４のメッセージを特定し、ワイヤレス端末４２０、４２２、および４２４に特定のメッセージの検索を可能にする。フェッチコマンドを発行したワイヤレス端末４２０、４２２、および４２４に複数の保留中のメッセージがある場合、ホストサービス４０２、４０４、４０６は、全部の保留中のメッセージを送信してもよい。
【００２７】
ここで図３を参照すると、本明細書に説明されるワイヤレス端末に関連する方法を実装することができるモバイル通信デバイス７００のブロック図が示される。例示的な目的に限定して、ワイヤレス端末７００の非常に特定詳細が図示されていることを理解されたい。
【００２８】
処理デバイス（マイクロプロセッサ７２８）は、キーボード７１４とディスプレイ７２６との間に結合されると図式的に示される。マイクロプロセッサ７２８は、ユーザによるキーボード７１４のキーの作動に応じて、ディスプレイ７２６の動作、ならびにワイヤレス端末７００の全体的な動作を制御する。
【００２９】
ワイヤレス端末７００は、縦方向に細長くてもよく、またはその他のサイズおよび形状でもよい筐体を有する（クラムシェル筐体構造を含む）。キーボード７１４は、モード選択キー、またはテキストエントリと電話エントリとの間を切り替えるための他のハードウェアまたはソフトウェアを含むことができる。
【００３０】
マイクロプロセッサ７２８に加え、ワイヤレス端末７００の他の部分が図式的に示される。これらは、通信サブシステム７７０と、短距離通信サブシステム７０２と、キーボード７１４およびディスプレイ７２６に加えて、ＬＥＤＳ７０４のセット、補助Ｉ／Ｏデバイス７０６のセット、シリアルポート７０８、スピーカ７１１、およびマイク７１２を含む他の入力／出力デバイスと、フラッシュメモリ７１６およびランダムアクセスメモリ（ＲＡＭ）７１８を含むメモリデバイスと、他の種々のデバイスのサブシステム７２０とを含む。ワイヤレス端末７００は、ワイヤレス端末７００の活動要素に電力を供給するバッテリ７２１を有してもよい。ワイヤレス端末７００は、いくつかの実施形態では、音声およびデータ通信機能を有する双方向無線周波数（ＲＦ）通信デバイスである。加えて、ワイヤレス端末７００は、いくつかの実施形態では、インターネットを経由して他のコンピュータシステムと通信する機能を有する。
【００３１】
マイクロプロセッサ７２８により実行されるオペレーティングシステムソフトウェアは、いくつかの実施形態ではフラッシュメモリ７１６等の持続的ストアに格納されるが、読み取り専用メモリ（ＲＯＭ）または類似の格納要素等の他のタイプのメモリデバイスに格納されてもよい。加えて、システムソフトウェア、特定のデバイスアプリケーション、またはその一部は、一時的にＲＡＭ７１８等の揮発性ストアにロードされてもよい。ワイヤレス端末７００により受信された通信信号もＲＡＭ７１８に格納されてもよい。
【００３２】
マイクロプロセッサ７２８は、ワイヤレス端末７００上で、そのオペレーティングシステム機能に加え、ソフトウェアアプリケーションの実行を可能にする。音声通信モジュール７３０Ａおよびデータ通信モジュール７３０Ｂ等、基本的なデバイス操作を制御する所定のセットのソフトウェアアプリケーションは、製造中にワイヤレス端末７００にインストールされてもよい。加えて、個人情報管理（ＰＩＭ）アプリケーションモジュール７３０Ｃも、製造中にワイヤレス端末７００にインストールされてもよい。ＰＩＭアプリケーションは、いくつかの実施形態では、電子メール、カレンダイベント、音声メール、予約、およびタスク項目等、データ項目の整理や管理ができる。ＰＩＭアプリケーションは、一部の実施形態においては、ワイヤレスネットワーク７１０を経由して、データ項目の送信および受信もできる。いくつかの実施形態では、ＰＩＭアプリケーションにより管理されるデータ項目は、ワイヤレスネットワーク７１０を経由して、ユーザの対応するデータ項目が格納されている、またはホストコンピュータシステムと関連するデバイスと完全に統合、同期化および更新される。さらに、追加のソフトウェアモジュールは、他のソフトウェアモジュール７３０Ｎとして示され、製造中にインストールされてもよい。
【００３３】
データおよび音声通信を含む通信機能は、通信サブシステム７７０、および可能な場合には短距離通信サブシステム７０２を介して実施される。通信サブシステム７７０は、受信器７５０、伝送器７５２、ならびに受信アンテナ７５４および伝送アンテナ７５６として示される１つ以上のアンテナを含む。加えて、通信サブシステム７７０は、デジタル信号プロセッサ（ＤＳＰ）７５８等の処理モジュール、および局部発振器（ＬＯ）７６０も含む。通信サブシステム７７０の特定の設計および実装は、ワイヤレス端末７００が作動しようとする通信ネットワークに依存する。例えば、ワイヤレス端末７００の通信サブシステム７７０は、Ｍｏｂｉｔｅｘ（登録商標）、ＤａｔａＴＡＣ（登録商標）または汎用パケット無線サービス（ＧＰＲＳ）のモバイルデータ通信ネットワークと作動するように設計され、また、アンプス（ＡＭＰＳ：Ａｄｖａｎｃｅｄ  Ｍｏｂｉｌｅ  Ｐｈｏｎｅ  Ｓｅｒｖｉｃｅ）、時分割多元接続（ＴＤＭＡ）、符号分割多重接続（ＣＤＭＡ）ＯＦＤＭ（直交波周波数分割多重）、パーソナル通信サービス（ＰＣＳ）、モバイル通信用グローバルシステム（ＧＳＭ）等の種々の音声通信ネットワークのうちのいずれとも作動するように設計される場合がある。他のタイプのデータおよび音声ネットワークも、個別および統合型の両方でワイヤレス端末７００で利用されてもよい。
【００３４】
ネットワークのアクセスは、通信システムのタイプに依存して変化してもよい。例えば、Ｍｏｂｉｔｅｘ（登録商標）およびＤａｔａＴＡＣ（登録商標）のネットワークにおいては、ワイヤレス端末は、各デバイスに関連する固有の個人認識番号（ＰＩＮ）を使用してネットワーク上に登録される。しかしながら、ＧＰＲＳネットワークにおいては、ネットワークアクセスは、典型的には、加入者またはデバイスのユーザに関連付けられる。したがって、典型的には、ＧＰＲＳデバイスは、ＧＰＲＳネットワーク上で作動するために、一般的には加入者識別モジュール（ＳＩＭ）カードと称される、加入者識別モジュールを有する。
【００３５】
ネットワーク登録または有効化手順が完了すると、ワイヤレス端末７００は、通信ネットワーク７１０を介して、通信信号を送信および受信することができる。受信アンテナ７５４により通信ネットワーク７１０から受信された信号は、受信器７５０に送信され、受信器７５０は、信号増幅、周波数ダウン変換、フィルタリング、チャネル選択等を提供し、さらにアナログからデジタルへの変換も提供することができる。受信した信号をアナログからデジタルに変換することによって、ＤＳＰ７５８は、変調や復号等の一層複雑な通信機能を実施することが可能になる。同様の方式において、ネットワーク７１０に伝送される信号は、ＤＳＰ７５８により処理（例えば、変調および復号）され、次いで、デジタルからアナログへの変換、周波数アップ変換、フィルタリング、増幅および伝送アンテナ７５６を経由して通信ネットワーク７１０（単数または複数）への伝送のために、伝送器７５２に提供される。
【００３６】
通信信号の処理に加え、ＤＳＰ７５８は、受信器７５０と伝送器７５２の制御も提供する。例えば、受信器７５０と伝送器７５２の通信信号に適用される増幅率は、ＤＳＰ７５８に実装された自動増幅率制御アルゴリズムを介して順応的に制御されてもよい。
【００３７】
データ通信モードにおいては、テキストメッセージまたはウェブページのダウンロード等の受信した信号は、通信サブシステム７７０により処理され、マイクロプロセッサ７２８に入力される。受信した信号は、次いで、ディスプレイ７２６、または代替として、他の何らかの補助Ｉ／Ｏデバイス７０６に出力するために、マイクロプロセッサ７２８によりさらに処理される。デバイスのユーザは、キーボード７１４および／またはタッチパッド、ロッカースイッチ、サムホイール、または他の何らかのタイプの入力デバイス等の他の何らかの補助Ｉ／Ｏデバイス７０６を使用して、電子メールメッセージ等のデータ項目を作成することもできる。作成されたデータ項目は、次いで、通信サブシステム７７０を経由して、通信ネットワーク７１０を介して伝送されてもよい。
【００３８】
音声通信モードにおいては、デバイスの全体的な動作は、受信した信号がスピーカ７１１に出力され、伝送される信号がマイク７１２により生成される点を除いては、実質的にデータ通信モードに類似する。音声メッセージ録音サブシステム等の代替の音声またはオーディオＩ／Ｏサブシステムも、ワイヤレス端末７００上に実装することができる。加えて、ディスプレイ７２６も、例えば、音声通話の間、呼び出し側の身元を表示する、またはその他の音声通話に関連する情報を表示するために、音声通話モードにおいて利用されてもよい。
【００３９】
短距離通信サブシステム７０２は、ワイヤレス端末７００と、必ずしも同様のデバイスである必要がない、他の近接のシステムまたはデバイスとの間の通信を可能にする。例えば、短距離通信サブシステムは、同様に有効なシステムおよびデバイスとの通信を提供するように、赤外線デバイスと関連する回路およびコンポーネント、またはＢｌｕｅｔｏｏｔｈ（登録商標）通信モジュールを含む場合がある。
【００４０】
図２においては、ワイヤレス端末と基地局は、本明細書において説明される方法のうちの１つ以上を実装するように連携し得る。さらに一般的には、ネットワーク側は、数例を挙げると、基地局、基地局コントローラ、ワイヤレスルータ、またはモバイルスイッチセンタを含むことができる１つ以上のネットワークコンポーネントにより実装されてもよい。実装の詳細は、指定のネットワーク構成に依存する。図３においては、マイクロプロセッサ７２８、ＲＡＭ７１８、通信サブシステム７７０、ディスプレイ７２６、フラッシュメモリ７１６、音声モジュール、およびデータモジュールは、本明細書に説明される方法のうちの１つ以上を実装するように連携し得る。さらに一般的には、実装の詳細は、指定のワイヤレス端末構成に依存する。
【００４１】
説明される実施形態は、特に、ＶｏＩＰ等のリアルタイム低速パケット伝送に適用可能であるが、リアルタイム低速アプリケーションで実現される効率は必ずしも実現されない場合があるので、必ずしもリアルタイムまたは低速であることが必要のない、その他のパケット伝送に適用され得ることを理解されたい。
【００４２】
本明細書で説明されるＶｏＩＰ実装の場合、ワイヤレス端末の２つの状態は、有音と無音の状態である。より一般的に、いくつかの実施形態では、第１層のシグナリングが採用されて、活動および非活動と称される２つの状態の間の移行をシグナリングする。これらの状態は、実装特有ベースで定義され得る。例えば、いくつかの実施形態では、ワイヤレス端末が送信するものが何もない期間が短い場合には、ワイヤレス端末は活動状態のままである。ＶｏＩＰ実装の場合、活動状態は有音状態に対応し、非活動状態は無音状態に対応する。
【００４３】
本明細書に説明される実施形態は、ワイヤレス端末から基地局へのアップリンク伝送の状況であるが、より一般的に、一部の実施形態は、伝送器から受信器への伝送に適用されてもよい。実施形態がダウンリンク伝送に適用される場合には、伝送器と受信器は、それぞれ基地局とワイヤレス端末であってもよく、または、実施形態がアップリンク伝送に適用される場合には、それぞれワイヤレス端末と基地局であってもよい。
【００４４】
本出願の実施形態に従い、高速第１層の有音状態のフィードバックチャネルが提供され、無音状態から有音状態への移行をシグナリングするために使用される。いくつかの実施形態では、このようなチャネルは、無音状態から有音状態への移行をシグナリングするためにも使用される。
【００４５】
状態移行をシグナリングする第１層の指標のユーザの動作の第１の実施例は、図４を参照して説明される。図４においては、概して、１０でワイヤレス端末から基地局への伝送の順序が示される。この図および以下で説明する他の図では、時間は左から右へと進む。図は、ＶｏＩＰセッションの部分として伝送される場合がある内容の無作為サンプルを表すが、他のセッションタイプも考慮される。図に示された内容は、図示された特定の伝送の前および／または後に続く伝送を含む場合がある、さらに大きいセッションの部分と想定される。伝送は、ＳＩＤフレーム２２、有音状態２４、ＳＩＤフレーム２６、２８、有音状態３０、およびＳＩＤフレーム３２を含む。有音状態２４、３０の間、ワイヤレス端末は、有音状態にあり、有音状態と有音状態との間、モバイル端末は無音状態にある。有音状態は、連続、または有音状態の維持を保証するに十分な程度に密集、のいずれかである１つ以上の伝送フレームを含むことができる。ワイヤレス端末側の音声アクティビティの状態をネットワークに報告するために使用される高速第１層のシグナリングの実施例は、概して、２０で示される。いくつかの実施形態では、この高速指標のためのアップリンク伝送リソースは、ワイヤレス端末に予め割り当てられる。他の実施例は以下に説明される。示された実施例においては、１つの情報ビットは、２つの異なる状態移行を示すために使用される。示された特定の実施例においては、「１」は、有音状態から無音状態への状態移行を意味し、「０」は、無音状態から有音状態への状態移行を意味する。したがって、第１層のシグナリング２０は、有音状態から無音状態への移行を示すシグナリング３６を含み、これは有音状態２４の後に続く。次の移行は、４０でシグナリングされて、有音状態３０の開始時に有音状態に移行を戻す信号を送信する。別の移行は、４４でシグナリングされて、有音状態から無音状態への別の移行を示す。前述のように、いくつかの実施形態では、このシグナリングのために予め割り当てられるリソースが存在する。この実施例の場合には、シグナリングすることが何も存在しない場合、すなわち、移行シグナリングと移行シグナリングとの間の期間は、ＤＴＸ（不連続伝送）３４、３８、４２、４６の期間により示されるように何も伝送されない。
【００４６】
ワイヤレス端末が有音状態にある間、第１の予め割り当てられたリソースを使用して伝送する。このリソースは、ワイヤレス端末が有音状態にある度に同一のリソースが使用されるという意味で、半持続的に割り当てられる。すなわち、リソースが最初に割り当てられる開始時を除き、ワイヤレス端末に新しいリソース割り当てを示す信号を送信する必要がない。これは、例えば、呼び出しの開始時に実行される場合がある。ＶｏＩＰ伝送の場合、有音状態期間では、音声パケットの伝達に十分なリソースがアップリンク上でユーザに割り当てられる。
【００４７】
ワイヤレス端末が無音状態にある間、ワイヤレス端末は、第２の予め割り当てられたリソースを使用してＳＩＤフレームを伝送する。この第２のリソースも、ワイヤレス端末が無音状態にある度に同一のリソースが使用されるという意味で、半持続的に割り当てられる。すなわち、第２のリソースが最初に割り当てられる開始時を除き、ワイヤレス端末に新しいリソース割り当てを示す信号を送信する必要がない。これは、例えば、呼び出しの開始時に実行される場合がある。第２のリソースは、第１のリソースよりも小さい伝送容量を有する。いくつかの実施形態では、第２のリソースは、第１のリソースから完全に区別される。他の実施形態では、第２のリソースは第１のリソースのサブセットである。無音状態に予め割り当てられたリソースは、ＳＩＤフレーム伝送に十分な非常に小さいリソースであってもよい。
【００４８】
いずれの割り当てられたリソースも、呼び出しのセットアップ段階中に予め構成される。この実施例のリソース留保状態移行の略図は、図５に示される。有音状態５０は、伝送のために第１の予め構成されたリソースを使用することにより特徴付けられる。無音状態５２は、ＳＩＤフレーム伝送のために第２の予め構成されたリソースを使用することにより特徴付けられる。ワイヤレス端末が変化しない場合（すなわち、無音状態または有音状態の１つの状態を維持している場合）、ワイヤレス端末は、第１層の指標をＤＴＸする。状態が変化すると、ワイヤレス端末は、第１層の指標をネットワークに伝送する。「１」の伝送は、有音状態５０から無音状態５２への移行の信号を送信する。「０」の伝送は、無音状態５２から有音状態５０への移行の信号を送信する。信頼性を向上させるために、高速指標は何回か繰り返されてもよいことに留意されたい。リソースは予め構成されているので、追加のシグナリングは不要である。
【００４９】
有音状態から無音状態期間への移行
ワイヤレス端末は、そのバッファステータスにより、出現する無音状態期間を検出することができる。例えば、いくつかの実施形態では、現在の音声フレームが、キューの間の最後のフレームである場合、無音状態期間が出現するという結論に達する。ワイヤレス端末は、ネットワークが他の目的のためにリソースを解放できるように、有音状態から無音状態への移行の信号を送信する。ワイヤレス端末は、この状態で予め構成されたリソース割り当てに基づいて、ＳＩＤフレームを伝送する。
【００５０】
いくつかの実施形態では、有音状態から無音状態への移行は、明示的にシグナリングされない。そうではなく、ネットワークは、独自に無音状態期間を検出する。これは、例えば、データ伝送のない期間を検索することにより、またはアプリケーション層からの何らかの指標を検索することにより実行される場合がある。このような事例においては、基地局は、ワイヤレス端末からの明示的なリクエストが全くなくてもリソースを解放し得る。
【００５１】
無音状態期間から有音状態への移行
新しい音声パケットが出現すると、ワイヤレス端末は、ネットワークが予め構成されたリソースをワイヤレス端末に再割り当てするように、無音状態から有音状態への移行をシグナリングする。ワイヤレス端末は、この状態で予め構成されたリソース割り当てに基づいて、音声フレームを伝送する。
【００５２】
ＭＡＣ層シグナリングを含む適応第１層の指標
ほとんどの場合シグナリングする状態移行がないために、ほとんどの場合、ワイヤレス端末は高速指標を単にＤＴＸすると考えることが可能である。これは、アップリンクリソースを無駄にしている可能性がある。別の実施形態では、有音状態から無音状態への移行をシグナリングする第１層の指標を使用するのではなく、ワイヤレス端末からのＭＡＣ層のシグナリングが採用されて、無音状態期間の開始を示す。ワイヤレス端末が、例えば、現在の音声フレームがキューの最後のフレームである等、バッファステータスにより出現する無音状態期間を検出できると想定すると、ワイヤレス端末は、出現する無音状態期間を示すＭＡＣ層のシグナリングを使用してもよい。特定の実施例においては、最後の音声パケットデータユニット（ＰＤＵ）伝送内の帯域内シグナリングは、ＭＡＣヘッダのオプションフィールド内で実施される可能性がある。シグナリングを受信後、ネットワークは、リソース留保モードに切替できる。
【００５３】
このような実施形態においては、高速指標リソースは、有音状態期間の間必要ではない。これは、有音状態から無音状態期間への状態移行は、帯域内ＭＡＣ層シグナリングにより発生するからである。いくつかの実施形態では、第１層のシグナリングに割り当てられるリソースは、ワイヤレス端末が有音状態にある間に再割り当てするために利用可能である。
【００５４】
このように実装されたシグナリングの特定の実施例が、ここで図６を参照して、一例として説明される。図６においては、概して、６０でワイヤレス端末から基地局への伝送の順序が示される。伝送は、ＳＩＤフレーム７２、有音状態７４、ＳＩＤフレーム７６、７８、有音状態８０、およびＳＩＤフレーム８２を含む。有音状態７４、８０の間、ワイヤレス端末は、有音状態にあり、有音状態と有音状態との間、モバイル端末は無音状態にある。有音状態７４の終了時には、有音状態から無音状態への移行を示す帯域内ＭＡＣ層指標８４が図示される。同様に、有音状態８０の終了時には、有音状態から無音状態への移行を示す帯域内ＭＡＣ層指標８６が図示される。
【００５５】
ワイヤレス端末側の音声アクティビティの状態をネットワークに報告するために使用される第１高速層のシグナリングの実施例は、概して、７０で示される。示された実施例においては、１つの情報ビットは、無音状態から有音状態への状態移行を示すために使用される。有音状態から無音状態への移行は、帯域内ＭＡＣ層指標で行われるため、移行をシグナリングする必要はない。したがって、第１層のシグナリング７０は、有音状態８０に先行する、無音状態から有音状態への移行を示すシグナリング９０を含む。このようなシグナリングを伝送するためのリソースは、ワイヤレス端末が無音状態にある間は利用可能であるが、ＤＴＸ期間８８、９４により示されるように、シグナリングする状態移行がない場合は何も伝送されない。ワイヤレス端末が有音状態にある期間、この期間には無音状態から有音状態への移行がないため、状態移行の信号を送信する目的のためにモバイル端末に割り当てする必要はない。したがって、このような期間、リソースは他の目的で割り当てするために利用可能である。
【００５６】
この実施例のリソース留保状態移行の略図が、図７に示される。有音状態１００は、伝送するために第１の予め構成されたリソースを使用することにより特徴付けられる。無音状態１０２は、ＳＩＤフレーム伝送のために第２の予め構成されたリソースを使用することにより特徴付けられる。無音状態にある間、ワイヤレス端末は、層１の指標をＤＴＸする。状態が無音状態１０２から有音状態１００に変化すると、ワイヤレス端末は、高速第１層指標１０６をネットワークに伝送する。有音状態から無音状態への移行を示すために、帯域内ＭＡＣ層指標１０４が採用される。
【００５７】
アップリンクＮＡＣＫ／ＡＣＫ送信を含む高速第１層の指標
いくつかの実施形態では、特に音声通信ではそうであるが、通信全体は、ダウンリンク送信並びにアップリンク送信があるという点で、対称的である。ワイヤレス端末は、ダウンリンク伝送に関して、ＮＡＣＫ／ＡＣＫ伝送のような第１層のシグナリングを伝送する。いくつかの実施形態では、音声アクティビティ状態を示すＮＡＣＫ／ＡＣＫ状態に加えて、２つの追加の状態移行信号を伝送するためにさらに採用されるＮＡＣＫ／ＡＣＫ伝送のために、アップリンク第１層伝送のために予め割り当てられたリソースがある。特定の実施例として、一部のシステムにおいては、１ビットのＮＡＣＫ／ＡＣＫ指標は、第１層の伝送に１０回繰り返され、「１」は、「１１１１１１１１１１」および「０」は「００００００００００」となる。最後の２つのチャネルビットを使用して無音期間「ＸＸＸＸＸＸＸＸ００」および有音期間「ＸＸＸＸＸＸＸＸ１１」を表現することにより、状態移行は、ＮＡＣＫ／ＡＣＫ伝送と一体化され得る。有音から無音までがＭＡＣ層シグナリングまたは暗示的なシグナリングにより処置される場合、１つの状態だけが必要である。
【００５８】
このようなチャネルの動作の実施例は、ここで一例として、図８を参照して説明される。図４においては、概して、ワイヤレス端末から基地局への移行の順序が１０で示される。これは、図８の実施例と全く同一であるので、繰り返さない。ワイヤレス端末側の音声アクティビティの状態をネットワークに報告するために使用される第１高速層のシグナリングの実施例は、概して、１２０で示される。これは、有音状態から無音状態への移行を示すＡＣＫ／ＮＡＣＫシグナリング１２４、無音状態から有音状態への移行を示すＡＣＫ／ＮＡＣＫシグナリング１２６、およびＡＣＫ／ＮＡＣＫシグナリング１３２から構成される。また、状態移行情報を含む必要がないＡＣＫ／ＮＡＣＫシグナリング１２２、１２８、１３０、１３４も図示される。
【００５９】
また別の実施形態においては、状態移行情報は、ＣＱＩ（チャネル品質情報）報告に含められる。例えば、ＣＱＩフィードバックの追加の状態は、一方または他方の移行に関係するように定義され得る。例えば、現在の５ビットのＣＱＩは、３２の状態を表現できる。しかしながら、１つまたは複数の状態は今後の使用のために留保される。有音から無音への移行または無音から有音への移行を表現する２つの状態を使用することによって、状態移行は、ＣＱＩ伝送と容易に一体化され得る。さらに、有音から無音がＭＡＣ層シグナリングまたは暗示的なシグナリングにより処置される場合、１つの状態だけが必要である。伝送を最適化する一定の符号化技術が使用され得る。この方式では、追加のアップリンクリソースを必要としなくてもよい。
【００６０】
本明細書で説明された方法に先立ち、有音状態にある間に使用するためのアップリンクワイヤレス伝送リソースがワイヤレス端末に割り当てられる。同様に、いくつかの実施形態では、無音状態にある間に使用するための第２のアップリンクワイヤレス伝送リソースが、ワイヤレス端末に割り当てられる。伝送リソースの詳細は、当然ながら、実装特有である。これらは、数例を挙げると、ＯＦＤＭベースまたはＣＤＭＡベースまたはＴＤＭＡベースの場合がある。これらの初期リソース割り当ての詳細は、本明細書の範囲外である。ネットワークは、ワイヤレス端末により使用されている間に、割り当てられたリソースを他の目的に再割り当て可能であってもよい。これには、ネットワークが各ワイヤレス端末に割り当てられたリソースの追跡を維持して、各ワイヤレス端末の状態の追跡を維持することが関与する。
【００６１】
本明細書で説明された方法に先立ち、状態移行情報のシグナリングに使用するためのアップリンク第１層ワイヤレス伝送リソースがワイヤレス端末に割り当てられる。伝送リソースの詳細は、当然ながら、実装特有である。これらは、数例を挙げると、ＯＦＤＭベースまたはＣＤＭＡベースの場合がある。これらの初期リソース割り当ての詳細は、本明細書の範囲外である。ネットワークは、ワイヤレス端末により使用されている間に、割り当てられたリソースを他の目的に再割り当て可能であってもよい。これには、ネットワークが各ワイヤレス端末に割り当てられたリソースの追跡を維持して、各ワイヤレス端末の状態の追跡を維持することが関与する。
【００６２】
上記の実施形態全ては、無音から有音への（より一般的には非活動から活動）状態フィードバックを想定していた。別の実施形態では、随意的に無音から有音に関するフィードバックは全くなく、有音から無音に関する状態移行指標の形式であるフィードバックは、受信器から伝送器へ伝送される（一般的には活動から非活動）。これは、例えば、前述のようにＭＡＣ層のフィードバック、例えば、前述のように第１層のフィードバック、第１層のフィードバックの特定の実施例であるＡＣＫ／ＮＡＣＫフィードバックまたはアプリケーション層のフィードバックの形式で出現してもよい。ここでも、このような移行に関連して、いくつかの実施形態では、活動状態にある間に使用するために半持続的に割り当てられる第１の割り当てリソースを使用することから、非活動状態にある間に使用するために半持続的に割り当てられる第２の割り当てリソースを使用することに移行する。
【００６３】
上記の教示を考慮すると、本明細書の多数の変更および変形が可能である。したがって、添付の請求項の範囲内で、本明細書で具体的に説明された以外の別様においても本明細書の実施形態が実施されてもよいことを理解されたい。
【図１】
2010525688.tif 000003
【図２】
2010525688.tif 000004
【図３】
2010525688.tif 000005
【図４】
2010525688.tif 000006
【図５】
2010525688.tif 000007
【図６】
2010525688.tif 000008
【図７】
2010525688.tif 000009
【図８】
2010525688.tif 000010
【手続補正書】
【提出日】平成21年12月11日(2009.12.11)
【手続補正１】
【補正対象書類名】特許請求の範囲
【補正対象項目名】全文
【補正方法】変更
【補正の内容】
【特許請求の範囲】
【請求項１】
ワイヤレス端末に半持続的に割り当てられる第１のアップリンクワイヤレス伝送リソース上でワイヤレス端末から伝送を受信して、その結果、該第１のアップリンクワイヤレス伝送リソースは、該ワイヤレス端末が活動状態にある期間に該ワイヤレス端末に割り当てられ、該第１のアップリンクワイヤレス伝送リソースの該半持続的なリソース割り当ては、該半持続的なリソース割り当ての詳細が一回シグナリングされることのみを必要とするように、該第１のアップリンクリソース割り当てが周期的に繰り返されることを含み、該ワイヤレス端末が該活動状態にある各期間は該半持続的なリソース割り当ての全ての発生が該ワイヤレス端末によって使用される間の期間を含む、ことと、
該ワイヤレス端末が該活動状態から非活動状態に移行した時を決定することと、
該ワイヤレス端末から第１層の指標を受信することにより、該ワイヤレス端末が非活動状態から活動状態に移行した時を決定することと、
該ワイヤレス端末が該非活動状態にある間に、該第１のアップリンクワイヤレス伝送リソースを他の目的で再割り当てするために利用可能にすることと
を含み、第１層の指標を受信することは、状態移行情報を有する、応答／否定応答「ＡＣＫ／ＮＡＣＫ」シグナリングを受信することと、
を含む、方法。
【請求項２】
前記活動状態は、ボイスオーバーインターネットプロトコル「ＶｏＩＰ」セッションの有音状態であり、前記非活動状態は、該ＶｏＩＰセッションの無音状態である、請求項１に記載の方法。
【請求項３】
セッション開始時に前記第１のアップリンクワイヤレス伝送リソースの前記半持続的割り当てをシグナリングすることをさらに含む、請求項１または２に記載の方法。
【請求項４】
前記ワイヤレス端末が活動状態から非活動状態に移行したことを示す、該ワイヤレス端末からのシグナリングを受信することにより、該ワイヤレス端末が活動状態から非活動状態に移行した時を決定することをさらに含む、請求項１〜３のうちのいずれか１項に記載の方法。
【請求項５】
前記ワイヤレス端末が活動状態から非活動状態に移行したことを示す、第１層の指標を受信することにより、該ワイヤレス端末が活動状態から非活動状態に移行したことを示す、該ワイヤレス端末からのシグナリングを受信することを含む、請求項４に記載の方法。
【請求項６】
前記ワイヤレス端末が活動状態から非活動状態に移行したことを示す、該ワイヤレス端末からの第１層の指標を受信することは、
状態移行情報を有する前記ＡＣＫ／ＮＡＣＫシグナリング、状態移行情報を有するＣＱＩシグナリング、またはその目的で具体的に割り当てられたアップリンク伝送リソースに関するインジケータのうちのいずれかを受信することを含む、請求項５に記載の方法。
【請求項７】
ワイヤレス端末に半持続的に割り当てられる第１のアップリンクワイヤレス伝送リソース上でワイヤレス端末から伝送を受信することであって、その結果、該第１のアップリンクワイヤレス伝送リソースは、該ワイヤレス端末が活動状態にある期間に該ワイヤレス端末に割り当てられ、該第１のアップリンクワイヤレス伝送リソースの該半持続的なリソース割り当ては、該半持続的なリソース割り当ての詳細が一回シグナリングされることのみを必要とするように、該第１のアップリンクリソース割り当てが周期的に繰り返されることを含み、該ワイヤレス端末が該活動状態にある各期間は該半持続的なリソース割り当ての全ての発生が該ワイヤレス端末によって使用される間の期間を含む、ことと、
該ワイヤレス端末が該活動状態から非活動状態に移行した時を決定することと、
該ワイヤレス端末から第１層の指標を受信することにより、該ワイヤレス端末が非活動状態から活動状態に移行した時を決定することと、
該ワイヤレス端末が該非活動状態にある間に、該第１のアップリンクワイヤレス伝送リソースを他の目的で再割り当てするために利用可能にすることと、
活動状態の終了時に該ワイヤレス端末から媒体アクセス制御「ＭＡＣ」層シグナリングを受信することにより、該ワイヤレス端末が活動状態から非活動状態に移行したことを示す、該ワイヤレス端末からのシグナリングを受信することにより、該ワイヤレス端末が活動状態から非活動状態に移行した時を決定することと
を含む、方法。
【請求項８】
ワイヤレス端末に半持続的に割り当てられる第１のアップリンクワイヤレス伝送リソース上でワイヤレス端末から伝送を受信することであって、その結果、該第１のアップリンクワイヤレス伝送リソースは、該ワイヤレス端末が活動状態にある期間に該ワイヤレス端末に割り当てられ、該第１のアップリンクワイヤレス伝送リソースの該半持続的なリソース割り当ては、該半持続的なリソース割り当ての詳細が一回シグナリングされることのみを必要とするように、該第１のアップリンクリソース割り当てが周期的に繰り返されることを含み、該ワイヤレス端末が該活動状態にある各期間は該半持続的なリソース割り当ての全ての発生が該ワイヤレス端末によって使用される間の期間を含む、ことと、
該ワイヤレス端末が該活動状態から非活動状態に移行した時を決定することと、
該ワイヤレス端末から第１層の指標を受信することにより、該ワイヤレス端末が非活動状態から活動状態に移行した時を決定することと、
該ワイヤレス端末が該非活動状態にある間に、該第１のアップリンクワイヤレス伝送リソースを他の目的で再割り当てするために利用可能にすることと、
該ワイヤレス端末から非活動期間について監視することにより、該ワイヤレス端末が活動状態から非活動状態に移行したことを決定することと
を含む、方法。
【請求項９】
ワイヤレス端末に半持続的に割り当てられる第１のアップリンクワイヤレス伝送リソース上でワイヤレス端末から伝送を受信することであって、その結果、該第１のアップリンクワイヤレス伝送リソースは、該ワイヤレス端末が活動状態にある期間に該ワイヤレス端末に割り当てられ、該第１のアップリンクワイヤレス伝送リソースの該半持続的なリソース割り当ては、該半持続的なリソース割り当ての詳細が一回シグナリングされることのみを必要とするように、該第１のアップリンクリソース割り当てが周期的に繰り返されることを含み、該ワイヤレス端末が該活動状態にある各期間は該半持続的なリソース割り当ての全ての発生が該ワイヤレス端末によって使用される間の期間を含む、ことと、
該ワイヤレス端末が該活動状態から非活動状態に移行した時を決定することと、
該ワイヤレス端末からの第１層の指標を受信することにより、該ワイヤレス端末が非活動状態から活動状態に移行した時を決定することと、
該ワイヤレス端末が該非活動状態にある間に、該第１のアップリンクワイヤレス伝送リソースを他の目的で再割り当てするために利用可能にすることと、
アプリケーション層から無音期間の開始に関する指標を受信することにより、該ワイヤレス端末が活動状態から非活動状態に移行した時を決定することと
を含む、方法。
【請求項１０】
第１層のシグナリングを伝送する際に、前記ワイヤレス端末による使用のために第１層リソースを割り当てることをさらに含む、請求項１〜９のうちのいずれか１項に記載の方法。
【請求項１１】
第１層のシグナリングを伝送する際に、前記ワイヤレス端末による使用のために第１層リソースを割り当てることは、
該ワイヤレス端末が前記活動状態にある間、該ワイヤレス端末のために該リソースを保存することと、
該活動状態中に、他の目的のために該第１層リソースを利用可能にすることと
を含む、請求項１０に記載の方法。
【請求項１２】
第２のアップリンクワイヤレス伝送リソースを前記ワイヤレス端末に半持続的に割り当てることであって、その結果、該第２のアップリンクワイヤレス伝送リソースは、無音記述子「ＳＩＤ」フレームを伝送する目的のために該ワイヤレス端末が前記非活動状態にある期間に該ワイヤレス端末に割り当てられる、ことをさらに含み、該第２のアップリンクワイヤレス伝送リソースは、前記第１のリソースよりも小さい容量を有する、請求項１〜１１のうちのいずれか１項に記載の方法。
【請求項１３】
ワイヤレス端末が、活動状態にある間に、該ワイヤレス端末に半持続的に割り当てられる第１のワイヤレス伝送リソースを使用してアップリンク通信を伝送することであって、すなわち、該第１のワイヤレス伝送リソースは、該活動状態にある間に該ワイヤレス端末に割り当てられ、該第１のアップリンクワイヤレス伝送リソースの該半持続的なリソース割り当ては、該半持続的なリソース割り当ての詳細が一回シグナリングされることのみを必要とするように、該第１のアップリンクリソース割り当てが周期的に繰り返されることを含み、該ワイヤレス端末が該活動状態にある各期間は該半持続的なリソース割り当ての全ての発生が該ワイヤレス端末によって使用される間の期間を含む、ことと、
該活動状態にある間に伝送を完了した後、該ワイヤレス端末が、該活動状態から非活動状態に移行することと、
該非活動状態にある間に該活動状態で伝送を開始するために、該ワイヤレス端末は、該非活動状態から該活動状態に移行し、該非活動状態から該活動状態への該移行を示す第１層の指標を伝送することであって、該第１層の指標は、移行情報を有する応答／拒否応答「ＡＣＫ／ＮＡＣＫ」シグナリングを備えている、ことと
を含む、方法。
【請求項１４】
前記活動状態は、ボイスオーバーインターネットプロトコル「ＶｏＩＰ」セッションの有音状態であり、前記非活動状態は、該ＶｏＩＰセッションの無音状態である、請求項１３に記載の方法。
【請求項１５】
前記ワイヤレス端末が活動状態から非活動状態に移行した時を示すシグナリング情報を伝送することをさらに含む、請求項１３から１４のうちのいずれか１項に記載の方法。
【請求項１６】
前記ワイヤレス端末が活動状態から非活動状態に移行した時を示すシグナリング情報を伝送することは、該ワイヤレス端末が活動状態から非活動状態に移行した時を示す第１層の指標を伝送することを含む、請求項１５に記載の方法。
【請求項１７】
前記ワイヤレス端末が活動状態から非活動状態に移行したことを示す第１層の指標を伝送することは、
状態移行情報を有するＡＣＫ／ＮＡＣＫ信号、状態移行情報を有するＣＱＩシグナリング、または、その目的で具体的に割り当てられるアップリンク伝送リソースに関するインジケータを伝送することを含む、請求項１６に記載の方法。
【請求項１８】
ワイヤレス端末が、活動状態にある間、該ワイヤレス端末に半持続的に割り当てられる第１のワイヤレス伝送リソースを使用してアップリンク通信を伝送することであって、すなわち、該第１のワイヤレス伝送リソースは、該活動状態にある間に該ワイヤレス端末に割り当てられ、該第１のアップリンクワイヤレス伝送リソースの該半持続的なリソース割り当ては、該半持続的なリソース割り当ての詳細が一回シグナリングされることのみを必要とするように、該第１のアップリンクリソース割り当てが周期的に繰り返されることを含み、該ワイヤレス端末が該活動状態にある各期間は該半持続的なリソース割り当ての全ての発生が該ワイヤレス端末によって使用される間の期間を含む、ことと、
該活動状態にある間に伝送を完了した後、該ワイヤレス端末が、該活動状態から非活動状態に移行することと、
該非活動状態にある間に、該活動状態において伝送を開始するために、該ワイヤレス端末は、該非活動状態から該活動状態に移行し、該非活動状態から該活動状態への該移行を示す第１層の指標を伝送することと、
活動状態の終了時に媒体アクセス制御「ＭＡＣ」層のシグナリング（８４、８６、１０４）を伝送することにより、該ワイヤレス端末が活動状態から非活動状態に移行したことを示すシグナリング情報を伝送することと
を含む、方法。
【請求項１９】
前記非活動状態にある間に、ＶｏＩＰ伝送のために、第２のアップリンクワイヤレス伝送リソースを使用して、半持続的にワイヤレス端末に無音記述子「ＳＩＤ」フレームを伝送することであって、その結果、該第２のアップリンクワイヤレス伝送リソースは、ＳＩＤフレームを伝送する目的で、該ワイヤレス端末が該非活動状態にある期間に該ワイヤレス端末に割り当てられる、ことをさらに含み、該第２のアップリンクワイヤレス伝送リソースは、前記第１のリソースよりも小さい容量を有する、請求項１３から１８のうちのいずれか１項に記載の方法。
【請求項２０】
アクセスネットワーク要素であって、該アクセスネットワーク要素は、ワイヤレス端末に半持続的に割り当てられる第１のアップリンクワイヤレス伝送リソース上でワイヤレス端末から伝送を受信し、その結果、該第１のアップリンクワイヤレス伝送リソースは、該ワイヤレス端末が活動状態にある期間に該ワイヤレス端末に割り当てられ、また、該ワイヤレス端末が該活動状態から非活動状態に移行した時を示す、該ワイヤレス端末からの第１層の指標を受信するようにも構成され、該第１のアップリンクワイヤレス伝送リソースの該半持続的なリソース割り当ては、該半持続的なリソース割り当ての詳細が一回シグナリングされることのみを必要とするように、該第１のアップリンクリソース割り当てが周期的に繰り返されることを含み、該ワイヤレス端末が該活動状態にある各期間は該半持続的なリソース割り当ての全ての発生が該ワイヤレス端末によって使用される間の期間を含む、アクセスネットワーク要素と、
該ワイヤレス端末が該活動状態から非活動状態に移行した時を決定することと、該ワイヤレス端末が該非活動状態から活動状態に移行した時を示す、該ワイヤレス端末から受信される該第１層の指標を処理することにより、該ワイヤレス端末が非活動状態から活動状態に移行した時を決定することとを行うように構成され、該ワイヤレス端末が該非活動状態にある間に、該第１のアップリンクワイヤレス伝送リソースを他の目的のために再割り当てするために利用可能にするように構成されている、第１層の状態フィードバック処理機能を伴うスケジューラと
を備えている、装置。
【請求項２１】
前記活動状態は、ボイスオーバーインターネットプロトコル「ＶｏＩＰ」セッションの有音状態を含み、前記非活動状態は、該ＶｏＩＰセッションの無音状態を含む、請求項２０に記載の装置。
【請求項２２】
前記スケジューラは、セッションの開始時に前記第１のアップリンクワイヤレス伝送リソースの前記半持続的割り当てを決定するように、そして、セッションの開始時に前記第１のアップリンクワイヤレス伝送リソースの該半持続的割り当てをシグナリングするように構成される、請求項２０または２１に記載の装置。
【請求項２３】
前記ワイヤレス端末が非活動状態から活動状態に移行したことを示すための該ワイヤレス端末からの前記第１層の指標は、
状態移行情報を有する応答／否定応答「ＡＣＫ／ＮＡＣＫ」シグナリング、状態移行情報を有するチャネル品質インジケータ「ＣＱＩ」シグナリング、またはその目的で具体的に割り当てられるアップリンク伝送リソースに関するインジケータのうちのいずれかを備えている、請求項２０から２２のうちのいずれか１項に記載の装置。
【請求項２４】
前記アクセスネットワーク要素は、前記ワイヤレス端末が活動状態から非活動状態に移行したことを示す該ワイヤレス端末からのシグナリングを受信するようにさらに構成され、前記スケジューラは、該シグナリングに基づいて、前記ワイヤレス端末が活動状態から非活動状態に移行したことを決定するように構成されている、請求項２０から２３のうちのいずれか１項に記載の装置。
【請求項２５】
前記アクセスネットワーク要素は、前記ワイヤレス端末が活動状態から非活動状態に移行したことを示す第１層の指標を受信することにより、前記ワイヤレス端末が活動状態から非活動状態に移行したことを示す、前記ワイヤレス端末からのシグナリングを受信するように構成される、請求項２４に記載の装置。
【請求項２６】
前記アクセスネットワーク要素は、活動状態の終了時に前記ワイヤレス端末から媒体アクセス制御「ＭＡＣ」層のシグナリングを受信することにより、該ワイヤレス端末が活動状態から非活動状態に移行したことを示す、該ワイヤレス端末からのシグナリングを受信し、処理するように構成される、請求項２４に記載の装置。
【請求項２７】
前記装置は、前記ワイヤレス端末から非活動期間の間監視することにより、該ワイヤレス端末が活動状態から非活動状態に移行したことを決定するように構成される、請求項２４から２６のうちのいずれか１項に記載の装置。
【請求項２８】
前記装置は、アプリケーション層から無音期間の開始に関する指標を受信することにより、前記ワイヤレス端末が活動状態から非活動状態に移行したことを決定するように構成される、請求項２４から２７のうちのいずれか１項に記載の装置。
【請求項２９】
前記スケジューラは、前記第１層のシグナリングを伝送する際に、前記ワイヤレス端末による使用のために第１層のリソースを割り当てるように構成される、請求項２４から２８のうちのいずれか１項に記載の装置。
【請求項３０】
前記スケジューラは、前記ワイヤレス端末が前記活動状態にある間に該ワイヤレス端末のためにリソースを保存すること、および非活動状態中に他の目的のために前記第１層のリソースを利用可能にすることにより、該第１層のシグナリングを伝送する際に、該ワイヤレス端末による使用のために第１層のリソースを割り当てるように構成される、請求項２９に記載の装置。
【請求項３１】
前記スケジューラは、第２のアップリンクワイヤレス伝送リソースを、前記ワイヤレス端末に半持続的に割り当てるように構成され、その結果、該第２のアップリンクワイヤレス伝送リソースは、無音記述子「ＳＩＤ」フレームを伝送する目的で、該ワイヤレス端末が非活動状態にある期間に該ワイヤレス端末に割り当てられ、該第２のアップリンクワイヤレス伝送リソースは、前記第１のリソースよりも小さい容量を有する、請求項２４から３０のうちのいずれか１項に記載の装置。
【請求項３２】
ワイヤレス端末１０−１であって、
活動状態にある間に、該ワイヤレス端末に半持続的に割り当てられる第１のワイヤレス伝送リソースを使用してアップリンク通信を伝送するように構成される、ワイヤレスアクセス無線１６−１であって、すなわち、該第１のワイヤレス伝送リソースは、該活動状態にある間に該ワイヤレス端末に割り当てられ、該活動状態にある間に伝送を完了した後、該ワイヤレス端末は、該活動状態から非活動状態に移行するように構成され、該第１のアップリンクワイヤレス伝送リソースの該半持続的なリソース割り当ては、該半持続的なリソース割り当ての詳細が一回シグナリングされることのみを必要とするように、該第１のアップリンクリソース割り当てが周期的に繰り返されることを含み、該ワイヤレス端末が該活動状態にある各期間は該半持続的なリソース割り当ての全ての発生が該ワイヤレス端末によって使用される間の期間を含む、ワイヤレスアクセス無線１６−１と、
該非活動状態にある間に該活動状態で伝送を開始するために、該ワイヤレスアクセス無線による伝送のために、該非活動状態から該活動状態へ移行することを示す第１層の指標を生成するように構成される、第１層の状態フィードバックジェネレータであって、該ワイヤレス端末が非活動状態から活動状態に移行したことを示す該第１層の指標は、状態移行情報を有する応答／否定応答「ＡＣＫ／ＮＡＣＫ」シグナリングを備える、第１層の状態フィードバックジェネレータと
を備える、ワイヤレス端末１０−１。
【請求項３３】
前記活動状態は、ボイスオーバーインターネットプロトコル「ＶｏＩＰ」セッションの有音状態を含み、前記非活動状態は、該ＶｏＩＰセッションの無音状態を含む、請求項３２に記載のワイヤレス端末。
【請求項３４】
前記ワイヤレス端末が活動状態から非活動状態に移行した時を示すシグナリング情報を伝送するように構成される、請求項３２から３３のうちのいずれか１項に記載のワイヤレス端末。
【請求項３５】
前記第１層の状態フィードバックジェネレータは、前記ワイヤレス端末が活動状態から非活動状態に移行したことを示すシグナリング情報を生成するように構成され、該シグナリング情報は、該ワイヤレス端末が活動状態から非活動状態に移行した時を示す、第１層の指標を備える、請求項３４に記載のワイヤレス端末。
【請求項３６】
前記ワイヤレス端末が活動状態から非活動状態に移行したことを示す前記第１層の指標は、状態移行情報を有するＡＣＫ／ＮＡＣＫシグナリング、状態移行情報を有するＣＱＩシグナリング、またはその目的で具体的に割り当てられるアップリンク伝送リソースに関するインジケータのうちのいずれかを含む、請求項３５に記載のワイヤレス端末。
【請求項３７】
ワイヤレス端末１０−１であって、
活動状態にある間、該ワイヤレス端末に半持続的に割り当てられる第１のワイヤレス伝送リソースを使用してアップリンク通信を伝送するように構成されるワイヤレスアクセス無線１６−１であって、すなわち、該第１のワイヤレス伝送リソースは、該活動状態にある間に該ワイヤレス端末に割り当てられ、該活動状態にある間に伝送を完了した後、該ワイヤレス端末は、該活動状態から非活動状態に移行するように構成され、該第１のアップリンクワイヤレス伝送リソースの該半持続的なリソース割り当ては、該半持続的なリソース割り当ての詳細が一回シグナリングされることのみを必要とするように、該第１のアップリンクリソース割り当てが周期的に繰り返されることを含み、該ワイヤレス端末が該活動状態にある各期間は該半持続的なリソース割り当ての全ての発生が該ワイヤレス端末によって使用される間の期間を含む、ワイヤレスアクセス無線１６−１と、
該非活動状態にある間に該活動状態で伝送を開始するために、該ワイヤレスアクセス無線による伝送のために、該非活動状態から該活動状態へ移行したことを示す第１層の指標を生成するように構成される、第１層の状態フィードバックジェネレータと
を備え、該ワイヤレス端末は、活動状態の終了時に媒体アクセス制御「ＭＡＣ」層のシグナリングを伝送することにより、該ワイヤレス端末が活動状態から非活動状態に移行したことを示すシグナリング情報を伝送するようにさらに構成される、ワイヤレス端末１０−１。
【請求項３８】
前記非活動状態にある間に、ＶｏＩＰ伝送のために、第２のアップリンクワイヤレス伝送リソースを使用して、半持続的にワイヤレス端末に無音記述子「ＳＩＤ」フレームを伝送するように構成され、該第２のアップリンクワイヤレス伝送リソースは、ＳＩＤフレームを伝送する目的で、該ワイヤレス端末が該非活動状態にある期間に該ワイヤレス端末に割り当てられ、該第２のアップリンクワイヤレス伝送リソースは前記第１のリソースよりも小さい容量を有する、請求項３２から３７のうちのいずれか１項に記載のワイヤレス端末。
【請求項３９】
コンピュータデバイスのプロセッサにより実行可能なコンピュータ読み取り可能な命令を格納するコンピュータ読み取り可能媒体であって、該デバイスに請求項１から１２のうちのいずれか１つに記載の方法、または請求項１３から１９のうちのいずれか１つに記載の方法のステップを実装させる、コンピュータ読み取り可能媒体。
【手続補正２】
【補正対象書類名】明細書
【補正対象項目名】００１４
【補正方法】変更
【補正の内容】
【００１４】
実施形態は、以下の添付図面を参照して説明される。
例えば、本発明は以下の項目を提供する。
（項目１）
ワイヤレス端末に半持続的に割り当てられる第１のアップリンクワイヤレス伝送リソース上でワイヤレス端末から伝送を受信して、その結果、該第１のアップリンクワイヤレス伝送リソースは、該ワイヤレス端末が活動状態にある期間に該ワイヤレス端末に割り当てられることと、
該ワイヤレス端末が該活動状態から非活動状態に移行した時を決定することと、
該ワイヤレス端末から第１層の指標を受信することにより、該ワイヤレス端末が非活動状態から活動状態に移行した時を決定することと、
該ワイヤレス端末が該非活動状態にある間に、該第１のアップリンクワイヤレス伝送リソースを他の目的で再割り当てするために利用可能にすることと
を含み、第１層の指標を受信することは、状態移行情報を有する、応答／否定応答「ＡＣＫ／ＮＡＣＫ」シグナリングを受信することと、
を含む、方法。
（項目２）
上記活動状態は、ボイスオーバーインターネットプロトコル「ＶｏＩＰ」セッションの有音状態であり、上記非活動状態は、該ＶｏＩＰセッションの無音状態である、項目１に記載の方法。
（項目３）
セッション開始時に上記第１のアップリンクワイヤレス伝送リソースの上記半持続的割り当てをシグナリングすることをさらに含む、項目１または２に記載の方法。
（項目４）
上記ワイヤレス端末が活動状態から非活動状態に移行したことを示す、該ワイヤレス端末からのシグナリングを受信することにより、該ワイヤレス端末が活動状態から非活動状態に移行した時を決定することをさらに含む、項目１〜３のうちのいずれか１項に記載の方法。
（項目５）
上記ワイヤレス端末が活動状態から非活動状態に移行したことを示す、第１層の指標を受信することにより、該ワイヤレス端末が活動状態から非活動状態に移行したことを示す、該ワイヤレス端末からのシグナリングを受信することを含む、項目４に記載の方法。
（項目６）
上記ワイヤレス端末が活動状態から非活動状態に移行したことを示す、該ワイヤレス端末からの第１層の指標を受信することは、
状態移行情報を有する上記ＡＣＫ／ＮＡＣＫシグナリング、状態移行情報を有するＣＱＩシグナリング、またはその目的で具体的に割り当てられたアップリンク伝送リソースに関するインジケータのうちのいずれかを受信することを含む、項目５に記載の方法。
（項目７）
ワイヤレス端末に半持続的に割り当てられる第１のアップリンクワイヤレス伝送リソース上でワイヤレス端末から伝送を受信することであって、その結果、該第１のアップリンクワイヤレス伝送リソースは、該ワイヤレス端末が活動状態にある期間に該ワイヤレス端末に割り当てられる、ことと、
該ワイヤレス端末が該活動状態から非活動状態に移行した時を決定することと、
該ワイヤレス端末から第１層の指標を受信することにより、該ワイヤレス端末が非活動状態から活動状態に移行した時を決定することと、
該ワイヤレス端末が該非活動状態にある間に、該第１のアップリンクワイヤレス伝送リソースを他の目的で再割り当てするために利用可能にすることと、
活動状態の終了時に該ワイヤレス端末から媒体アクセス制御「ＭＡＣ」層シグナリングを受信することにより、該ワイヤレス端末が活動状態から非活動状態に移行したことを示す、該ワイヤレス端末からのシグナリングを受信することにより、該ワイヤレス端末が活動状態から非活動状態に移行した時を決定することと
を含む、方法。
（項目８）
ワイヤレス端末に半持続的に割り当てられる第１のアップリンクワイヤレス伝送リソース上でワイヤレス端末から伝送を受信することであって、その結果、該第１のアップリンクワイヤレス伝送リソースは、該ワイヤレス端末が活動状態にある期間に該ワイヤレス端末に割り当てられる、ことと、
該ワイヤレス端末が該活動状態から非活動状態に移行した時を決定することと、
該ワイヤレス端末から第１層の指標を受信することにより、該ワイヤレス端末が非活動状態から活動状態に移行した時を決定することと、
該ワイヤレス端末が該非活動状態にある間に、該第１のアップリンクワイヤレス伝送リソースを他の目的で再割り当てするために利用可能にすることと、
該ワイヤレス端末から非活動期間について監視することにより、該ワイヤレス端末が活動状態から非活動状態に移行したことを決定することと
を含む、方法。
（項目９）
ワイヤレス端末に半持続的に割り当てられる第１のアップリンクワイヤレス伝送リソース上でワイヤレス端末から伝送を受信することであって、その結果、該第１のアップリンクワイヤレス伝送リソースは、該ワイヤレス端末が活動状態にある期間に該ワイヤレス端末に割り当てられる、ことと、
該ワイヤレス端末が該活動状態から非活動状態に移行した時を決定することと、
該ワイヤレス端末からの第１層の指標を受信することにより、該ワイヤレス端末が非活動状態から活動状態に移行した時を決定することと、
該ワイヤレス端末が該非活動状態にある間に、該第１のアップリンクワイヤレス伝送リソースを他の目的で再割り当てするために利用可能にすることと、
アプリケーション層から無音期間の開始に関する指標を受信することにより、該ワイヤレス端末が活動状態から非活動状態に移行した時を決定することと
を含む、方法。
（項目１０）
第１層のシグナリングを伝送する際に、上記ワイヤレス端末による使用のために第１層リソースを割り当てることをさらに含む、項目１〜９のうちのいずれか１項に記載の方法。
（項目１１）
第１層のシグナリングを伝送する際に、上記ワイヤレス端末による使用のために第１層リソースを割り当てることは、
該ワイヤレス端末が上記活動状態にある間、該ワイヤレス端末のために該リソースを保存することと、
該活動状態中に、他の目的のために該第１層リソースを利用可能にすることと
を含む、項目１０に記載の方法。
（項目１２）
第２のアップリンクワイヤレス伝送リソースを上記ワイヤレス端末に半持続的に割り当てることであって、その結果、該第２のアップリンクワイヤレス伝送リソースは、無音記述子「ＳＩＤ」フレームを伝送する目的のために該ワイヤレス端末が上記非活動状態にある期間に該ワイヤレス端末に割り当てられる、ことをさらに含み、該第２のアップリンクワイヤレス伝送リソースは、上記第１のリソースよりも小さい容量を有する、項目１〜１１のうちのいずれか１項に記載の方法。
（項目１３）
ワイヤレス端末が、活動状態にある間に、該ワイヤレス端末に半持続的に割り当てられる第１のワイヤレス伝送リソースを使用してアップリンク通信を伝送することであって、すなわち、該第１のワイヤレス伝送リソースは、該活動状態にある間に該ワイヤレス端末に割り当てられる、ことと、
該活動状態にある間に伝送を完了した後、該ワイヤレス端末が、該活動状態から非活動状態に移行することと、
該非活動状態にある間に該活動状態で伝送を開始するために、該ワイヤレス端末は、該非活動状態から該活動状態に移行し、該非活動状態から該活動状態への該移行を示す第１層の指標を伝送することであって、該第１層の指標は、移行情報を有する応答／拒否応答「ＡＣＫ／ＮＡＣＫ」シグナリングを備えている、ことと
を含む、方法。
（項目１４）
上記活動状態は、ボイスオーバーインターネットプロトコル「ＶｏＩＰ」セッションの有音状態であり、上記非活動状態は、該ＶｏＩＰセッションの無音状態である、項目１３に記載の方法。
（項目１５）
上記ワイヤレス端末が活動状態から非活動状態に移行した時を示すシグナリング情報を伝送することをさらに含む、項目１３から１４のうちのいずれか１項に記載の方法。
（項目１６）
上記ワイヤレス端末が活動状態から非活動状態に移行した時を示すシグナリング情報を伝送することは、該ワイヤレス端末が活動状態から非活動状態に移行した時を示す第１層の指標を伝送することを含む、項目１５に記載の方法。
（項目１７）
上記ワイヤレス端末が活動状態から非活動状態に移行したことを示す第１層の指標を伝送することは、
状態移行情報を有するＡＣＫ／ＮＡＣＫ信号、状態移行情報を有するＣＱＩシグナリング、または、その目的で具体的に割り当てられるアップリンク伝送リソースに関するインジケータを伝送することを含む、項目１６に記載の方法。
（項目１８）
ワイヤレス端末が、活動状態にある間、該ワイヤレス端末に半持続的に割り当てられる第１のワイヤレス伝送リソースを使用してアップリンク通信を伝送することであって、すなわち、該第１のワイヤレス伝送リソースは、該活動状態にある間に該ワイヤレス端末に割り当てられる、ことと、
該活動状態にある間に伝送を完了した後、該ワイヤレス端末が、該活動状態から非活動状態に移行することと、
該非活動状態にある間に、該活動状態において伝送を開始するために、該ワイヤレス端末は、該非活動状態から該活動状態に移行し、該非活動状態から該活動状態への該移行を示す第１層の指標を伝送することと、
活動状態の終了時に媒体アクセス制御「ＭＡＣ」層のシグナリング（８４、８６、１０４）を伝送することにより、該ワイヤレス端末が活動状態から非活動状態に移行したことを示すシグナリング情報を伝送することと
を含む、方法。
（項目１９）
上記非活動状態にある間に、ＶｏＩＰ伝送のために、第２のアップリンクワイヤレス伝送リソースを使用して、半持続的にワイヤレス端末に無音記述子「ＳＩＤ」フレームを伝送することであって、その結果、該第２のアップリンクワイヤレス伝送リソースは、ＳＩＤフレームを伝送する目的で、該ワイヤレス端末が該非活動状態にある期間に該ワイヤレス端末に割り当てられる、ことをさらに含み、該第２のアップリンクワイヤレス伝送リソースは、上記第１のリソースよりも小さい容量を有する、項目１３から１８のうちのいずれか１項に記載の方法。
（項目２０）
アクセスネットワーク要素であって、該アクセスネットワーク要素は、ワイヤレス端末に半持続的に割り当てられる第１のアップリンクワイヤレス伝送リソース上でワイヤレス端末から伝送を受信し、その結果、該第１のアップリンクワイヤレス伝送リソースは、該ワイヤレス端末が活動状態にある期間に該ワイヤレス端末に割り当てられ、また、該ワイヤレス端末が該活動状態から非活動状態に移行した時を示す、該ワイヤレス端末からの第１層の指標を受信するようにも構成されている、アクセスネットワーク要素と、
該ワイヤレス端末が該活動状態から非活動状態に移行した時を決定することと、該ワイヤレス端末が該非活動状態から活動状態に移行した時を示す、該ワイヤレス端末から受信される該第１層の指標を処理することにより、該ワイヤレス端末が非活動状態から活動状態に移行した時を決定することとを行うように構成され、該ワイヤレス端末が該非活動状態にある間に、該第１のアップリンクワイヤレス伝送リソースを他の目的のために再割り当てするために利用可能にするように構成されている、第１層の状態フィードバック処理機能を伴うスケジューラと
を備えている、装置。
（項目２１）
上記活動状態は、ボイスオーバーインターネットプロトコル「ＶｏＩＰ」セッションの有音状態を含み、上記非活動状態は、該ＶｏＩＰセッションの無音状態を含む、項目２０に記載の装置。
（項目２２）
上記スケジューラは、セッションの開始時に上記第１のアップリンクワイヤレス伝送リソースの上記半持続的割り当てを決定するように、そして、セッションの開始時に上記第１のアップリンクワイヤレス伝送リソースの該半持続的割り当てをシグナリングするように構成される、項目２０または２１に記載の装置。
（項目２３）
上記ワイヤレス端末が非活動状態から活動状態に移行したことを示すための該ワイヤレス端末からの上記第１層の指標は、
状態移行情報を有する応答／否定応答「ＡＣＫ／ＮＡＣＫ」シグナリング、状態移行情報を有するチャネル品質インジケータ「ＣＱＩ」シグナリング、またはその目的で具体的に割り当てられるアップリンク伝送リソースに関するインジケータのうちのいずれかを備えている、項目２０から２２のうちのいずれか１項に記載の装置。
（項目２４）
上記アクセスネットワーク要素は、上記ワイヤレス端末が活動状態から非活動状態に移行したことを示す該ワイヤレス端末からのシグナリングを受信するようにさらに構成され、上記スケジューラは、該シグナリングに基づいて、上記ワイヤレス端末が活動状態から非活動状態に移行したことを決定するように構成されている、項目２０から２３のうちのいずれか１項に記載の装置。
（項目２５）
上記アクセスネットワーク要素は、上記ワイヤレス端末が活動状態から非活動状態に移行したことを示す第１層の指標を受信することにより、上記ワイヤレス端末が活動状態から非活動状態に移行したことを示す、上記ワイヤレス端末からのシグナリングを受信するように構成される、項目２４に記載の装置。
（項目２６）
上記アクセスネットワーク要素は、活動状態の終了時に上記ワイヤレス端末から媒体アクセス制御「ＭＡＣ」層のシグナリングを受信することにより、該ワイヤレス端末が活動状態から非活動状態に移行したことを示す、該ワイヤレス端末からのシグナリングを受信し、処理するように構成される、項目２４に記載の装置。
（項目２７）
上記装置は、上記ワイヤレス端末から非活動期間の間監視することにより、該ワイヤレス端末が活動状態から非活動状態に移行したことを決定するように構成される、項目２４から２６のうちのいずれか１項に記載の装置。
（項目２８）
上記装置は、アプリケーション層から無音期間の開始に関する指標を受信することにより、上記ワイヤレス端末が活動状態から非活動状態に移行したことを決定するように構成される、項目２４から２７のうちのいずれか１項に記載の装置。
（項目２９）
上記スケジューラは、上記第１層のシグナリングを伝送する際に、上記ワイヤレス端末による使用のために第１層のリソースを割り当てるように構成される、項目２４から２８のうちのいずれか１項に記載の装置。
（項目３０）
上記スケジューラは、上記ワイヤレス端末が上記活動状態にある間に該ワイヤレス端末のためにリソースを保存すること、および非活動状態中に他の目的のために上記第１層のリソースを利用可能にすることにより、該第１層のシグナリングを伝送する際に、該ワイヤレス端末による使用のために第１層のリソースを割り当てるように構成される、項目２９に記載の装置。
（項目３１）
上記スケジューラは、第２のアップリンクワイヤレス伝送リソースを、上記ワイヤレス端末に半持続的に割り当てるように構成され、その結果、該第２のアップリンクワイヤレス伝送リソースは、無音記述子「ＳＩＤ」フレームを伝送する目的で、該ワイヤレス端末が非活動状態にある期間に該ワイヤレス端末に割り当てられ、該第２のアップリンクワイヤレス伝送リソースは、上記第１のリソースよりも小さい容量を有する、項目２４から３０のうちのいずれか１項に記載の装置。
（項目３２）
ワイヤレス端末１０−１であって、
活動状態にある間に、該ワイヤレス端末に半持続的に割り当てられる第１のワイヤレス伝送リソースを使用してアップリンク通信を伝送するように構成される、ワイヤレスアクセス無線１６−１であって、すなわち、該第１のワイヤレス伝送リソースは、該活動状態にある間に該ワイヤレス端末に割り当てられ、該活動状態にある間に伝送を完了した後、該ワイヤレス端末は、該活動状態から非活動状態に移行するように構成される、ワイヤレスアクセス無線１６−１と、
該非活動状態にある間に該活動状態で伝送を開始するために、該ワイヤレスアクセス無線による伝送のために、該非活動状態から該活動状態へ移行することを示す第１層の指標を生成するように構成される、第１層の状態フィードバックジェネレータであって、該ワイヤレス端末が非活動状態から活動状態に移行したことを示す該第１層の指標は、状態移行情報を有する応答／否定応答「ＡＣＫ／ＮＡＣＫ」シグナリングを備える、第１層の状態フィードバックジェネレータと
を備える、ワイヤレス端末１０−１。
（項目３３）
上記活動状態は、ボイスオーバーインターネットプロトコル「ＶｏＩＰ」セッションの有音状態を含み、上記非活動状態は、該ＶｏＩＰセッションの無音状態を含む、項目３２に記載のワイヤレス端末。
（項目３４）
上記ワイヤレス端末が活動状態から非活動状態に移行した時を示すシグナリング情報を伝送するように構成される、項目３２から３３のうちのいずれか１項に記載のワイヤレス端末。
（項目３５）
上記第１層の状態フィードバックジェネレータは、上記ワイヤレス端末が活動状態から非活動状態に移行したことを示すシグナリング情報を生成するように構成され、該シグナリング情報は、該ワイヤレス端末が活動状態から非活動状態に移行した時を示す、第１層の指標を備える、項目３４に記載のワイヤレス端末。
（項目３６）
上記ワイヤレス端末が活動状態から非活動状態に移行したことを示す上記第１層の指標は、状態移行情報を有するＡＣＫ／ＮＡＣＫシグナリング、状態移行情報を有するＣＱＩシグナリング、またはその目的で具体的に割り当てられるアップリンク伝送リソースに関するインジケータのうちのいずれかを含む、項目３５に記載のワイヤレス端末。
（項目３７）
ワイヤレス端末１０−１であって、
活動状態にある間、該ワイヤレス端末に半持続的に割り当てられる第１のワイヤレス伝送リソースを使用してアップリンク通信を伝送するように構成されるワイヤレスアクセス無線１６−１であって、すなわち、該第１のワイヤレス伝送リソースは、該活動状態にある間に該ワイヤレス端末に割り当てられ、該活動状態にある間に伝送を完了した後、該ワイヤレス端末は、該活動状態から非活動状態に移行するように構成される、ワイヤレスアクセス無線１６−１と、
該非活動状態にある間に該活動状態で伝送を開始するために、該ワイヤレスアクセス無線による伝送のために、該非活動状態から該活動状態へ移行したことを示す第１層の指標を生成するように構成される、第１層の状態フィードバックジェネレータと
を備え、該ワイヤレス端末は、活動状態の終了時に媒体アクセス制御「ＭＡＣ」層のシグナリングを伝送することにより、該ワイヤレス端末が活動状態から非活動状態に移行したことを示すシグナリング情報を伝送するようにさらに構成される、ワイヤレス端末１０−１。
（項目３８）
上記非活動状態にある間に、ＶｏＩＰ伝送のために、第２のアップリンクワイヤレス伝送リソースを使用して、半持続的にワイヤレス端末に無音記述子「ＳＩＤ」フレームを伝送するように構成され、該第２のアップリンクワイヤレス伝送リソースは、ＳＩＤフレームを伝送する目的で、該ワイヤレス端末が該非活動状態にある期間に該ワイヤレス端末に割り当てられ、該第２のアップリンクワイヤレス伝送リソースは上記第１のリソースよりも小さい容量を有する、項目３２から３７のうちのいずれか１項に記載のワイヤレス端末。
（項目３９）
コンピュータデバイスのプロセッサにより実行可能なコンピュータ読み取り可能な命令を格納するコンピュータ読み取り可能媒体であって、該デバイスに項目１から１２のうちのいずれか１つに記載の方法、または項目１３から１９のうちのいずれか１つに記載の方法のステップを実装させる、コンピュータ読み取り可能媒体。
【国際調査報告】
2010525688.tif 000011
2010525688.tif 000012